(57)【要約】  本発明に係る無線通信装置（１）は、無線通信を用いて、メモリ部（１３）に記録されたデータを記録装置（２）に送信する無線通信装置であって、無線通信装置（１）が閾値ＭＩＤＤＬＥ以上の通信エリア内に存在するか否かを判定する通信エリア判定部（１９）と、無線通信装置（１）が静止しているか否かを検出する静止検出部（１５）と、通信エリア判定部（１９）で無線通信装置（１）が閾値ＭＩＤＤＬＥ以上の通信エリア内に存在すると判定され、且つ、静止検出部（１５）で無線通信装置（１）が静止していることが検出された場合に、無線通信を用いた、メモリ部（１３）に記録されたデータの記録装置（２）への送信を開始する無線通信部（１７）とを備える。
2010055697.tif 000002
【特許請求の範囲】
【請求項１】
無線通信を用いて、記録媒体に記録されたデータを他の機器に送信する無線通信装置であって、
前記無線通信装置が所定の通信エリア内に存在するか否かを判定する通信エリア判定部と、
前記無線通信装置が静止しているか否かを検出する静止検出部と、
前記通信エリア判定部で前記無線通信装置が所定のエリア内に存在すると判定され、且つ、前記静止検出部で前記無線通信装置が静止していることが検出された場合に、前記無線通信を用いた、前記記録媒体に記録されたデータの前記他の機器への送信を開始する無線通信部とを備える
無線通信装置。
【請求項２】
前記無線通信装置は、さらに、
前記他の機器が、予め指定された指定機器であるか否かを判定する機器判定部を備え、
前記無線通信部は、前記通信エリア判定部で前記無線通信装置が所定のエリア内に存在すると判定され、且つ、前記静止検出部で前記無線通信装置が静止していることが検出され、且つ、前記機器判定部で前記他の機器が前記指定機器であると判定された場合に、前記無線通信を用いた、前記記録媒体に記録されたデータの前記他の機器への送信を開始する
請求項１記載の無線通信装置。
【請求項３】
前記通信エリア判定部は、前記無線通信装置と無線通信可能な他の機器が複数存在する場合、当該複数の他の機器ごとに、所定の通信エリア内に存在するか否かを判定し、
前記機器判定部は、前記複数の他の機器ごとに、当該他の機器が前記指定機器であるか否かを判定し、さらに、複数の前記他の機器が前記指定機器である場合、当該指定機器である複数の他の機器のうち、前記通信エリア判定部で所定エリア内に存在すると判定された他の機器の中で、最も近接した配置であると判定された機器をデータ送信先の他の機器に決定し、
前記無線通信部は、前記機器判定部で決定された他の機器に、前記記録媒体に記録されたデータを送信する
請求項２記載の無線通信装置。
【請求項４】
前記無線通信装置は、さらに、
ユーザにより操作される開始スイッチを備え、
前記無線通信部は、前記通信エリア判定部で前記無線通信装置が所定のエリア内に存在すると判定され、且つ、前記静止検出部で前記無線通信装置が静止していることが検出され、且つ、前記開始スイッチがオンされている場合に、前記無線通信を用いた、前記記録媒体に記録されたデータの前記他の機器への送信を開始する
請求項１〜３のいずれか１項に記載の無線通信装置。
【請求項５】
前記他の機器は、前記無線通信装置により送信された前記データを表示する表示装置であり、
前記無線通信装置は、さらに、
前記記録媒体に記録されたデータのリストを生成するリスト生成部を備え、
前記無線通信部は、前記通信エリア判定部で前記無線通信装置が所定のエリア内に存在すると判定され、且つ、前記静止検出部で前記無線通信装置が静止していることが検出された場合に、前記リストを前記表示装置に前記無線通信を用いて送信し、前記リストに含まれるデータのうち、ユーザにより指定されたデータを前記表示装置へ送信する
請求項１〜４のいずれか１項に記載の無線通信装置。
【請求項６】
前記無線通信部は、前記表示装置により送信される、前記リストに含まれるデータのうちユーザにより指定されたデータを示す情報を受信し、受信した情報に示されるデータを前記表示装置へ送信する
請求項５記載の無線通信装置。
【請求項７】
前記無線通信装置は、さらに、
前記記録媒体に記録されたデータのリストを生成するリスト生成部と、
前記通信エリア判定部で前記無線通信装置が所定のエリア内に存在すると判定され、且つ、前記静止検出部で前記無線通信装置が静止していることが検出された場合に、前記リストを表示する表示部と、
ユーザの操作を受け付ける入力部とを備え、
前記無線通信部は、前記リストに含まれるデータのうち、前記入力部を介して、前記ユーザにより指定されたデータを前記他の機器へ送信する
請求項１〜４のいずれか１項に記載の無線通信装置。
【請求項８】
前記無線通信装置は、さらに、
前記無線通信部による前記データの前記送信中に、前記静止検出部で前記無線通信装置が移動していることが検出され、且つ、前記通信エリア判定部で、前記無線通信が所定の通信エリア内に存在するか否かを判定するための基準である第１閾値よりも広い所定の通信エリア内に存在するか否かを判定するための基準である第２閾値より外側であることが検出された場合、当該送信を中断する処理、及び、ユーザに警告を通知する処理のうち少なくとも一方の処理を行い、前記無線通信部による前記データの前記送信中に、前記静止検出部で当該無線通信装置が移動していることが検出され、且つ、前記通信エリア判定部で前記第１閾値の通信エリア外で、前記第２閾値の通信エリア内であることが検出された場合、前記少なくとも一方の処理を行う制御部を備える
請求項１〜７のいずれか１項に記載の無線通信装置。
【請求項９】
前記通信エリア判定部は、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いて通信エリアを判定する
請求項１〜８のいずれか１項に記載の無線通信装置。
【請求項１０】
前記通信エリア判定部は、ＰＨＹ（Ｐｈｙｓｉｃａｌ  Ｌａｙｅｒ）レートを用いて通信エリアを判定する
請求項１〜８のいずれか１項に記載の無線通信装置。
【請求項１１】
前記通信エリア判定部は、ＰＥＲ（Ｐａｃｋｅｔ  Ｅｒｒｏｒ  Ｒａｔｅ）を用いて通信エリアを判定する
請求項１〜８のいずれか１項に記載の無線通信装置。
【請求項１２】
前記静止検出部は、加速度センサを用いて静止を判定する
請求項１〜８のいずれか１項に記載の無線通信装置。
【請求項１３】
前記静止検出部は、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いて、所定の時間間隔でＲＳＳＩを取得するためのタイマー部と、所定の回数ＲＳＳＩを取得するためのカウンタ部とを備え、所定期間におけるＲＳＳＩ値の変動が所定範囲内であるか否かにより静止を判定する
請求項１〜８のいずれか１項に記載の無線通信装置。
【請求項１４】
前記静止検出部は、タッチセンサを用いて、ユーザが前記無線通信装置に触れているか否かにより静止を判定する
請求項１〜８のいずれか１項に記載の無線通信装置。
【請求項１５】
前記静止検出部は、突起スイッチ部を用いて、前記突起スイッチ部が押されているか否かにより静止を判定する
請求項１〜８のいずれか１項に記載の無線通信装置。
【請求項１６】
無線通信装置が、無線通信を用いて、記録媒体に記録されたデータを他の機器に送信する無線通信方法であって、
前記無線通信装置が所定の通信エリア内に存在するか否かを判定する通信エリア判定ステップと、
前記無線通信装置が静止しているか否かを検出する静止検出ステップと、
前記通信エリア判定ステップで前記無線通信装置が所定のエリア内に存在すると判定され、且つ、前記静止検出ステップで前記無線通信装置が静止していることが検出された場合に、前記無線通信を用いた、前記記録媒体に記録されたデータの前記他の機器への送信を開始する無線通信ステップとを含む
無線通信方法。
【請求項１７】
無線通信装置が、無線通信を用いて、記録媒体に記録されたデータを他の機器に送信するためのプログラムであって、
前記無線通信装置が所定の通信エリア内に存在するか否かを判定する通信エリア判定ステップと、
前記無線通信装置が静止しているか否かを検出する静止検出ステップと、
前記通信エリア判定ステップで前記無線通信装置が所定のエリア内に存在すると判定され、且つ、前記静止検出ステップで前記無線通信装置が静止していることが検出された場合に、前記無線通信を用いた、前記記録媒体に記録されたデータの前記他の機器への送信を開始する無線通信ステップとをコンピュータに実行させる
プログラム。
【発明の詳細な説明】
【技術分野】
【０００１】
本発明は、無線通信装置及び無線通信方法に関し、特に、無線通信を用いて、記録媒体に記録されたデータを他の機器に送信する無線通信装置に関する。
【背景技術】
【０００２】
従来、スチルカメラではフィルムに画像（静止画像）データを保存し、ビデオカメラではＶＨＳテープなどの記録媒体に映像（動画像）データを保存していた。現在では、ＡＶ機器のデジタル化の進展が著しく、デジタルスチルカメラ及びデジタルビデオカメラでは、ＳＤカードなどのデジタル記録媒体が使用されている。さらに、記録した映像及び画像データの出力方法も変化してきている。【０００３】
従来のスチルカメラではフィルムを現像するしかデータの出力方法が無かったが、デジタルスチルカメラでは、記録された画像データをＳＤカードなどのデジタル記録メディア、又はＵＳＢケーブルなどの有線ケーブルを介して、パソコン又はＨＤＤレコーダ等の記録装置へ転送して保存（以下、転送保存）したり、テレビ又はプロジェクター等の表示装置へ転送して表示（以下、転送表示）したりすることが可能となっている。【０００４】
また、デジタルビデオカメラでも、ＳＤカード又は有線ケーブルを介して、テレビ又はレコーダへ映像及び画像データを転送保存及び転送表示できる。【０００５】
また、映像及び画像データの転送方法としては、Ｂｌｕｅｔｏｏｔｈ又は無線ＬＡＮなどを利用した無線データ転送もＡＶ機器において用いられている。これに伴い、デジタルスチルカメラ及びデジタルビデオカメラに無線ＬＡＮ機能を内蔵した機種などが発売されている。【０００６】
一方で、ノートＰＣ等の無線通信装置において、無線データ転送中に、データ送信元の無線通信装置の移動を検出し、当該無線通信装置が移動した際に、データ転送を中断する技術が知られている（例えば、特許文献１参照）。さらに、特許文献１記載の技術では、無線通信の品質が良好であれば、データ転送を中断せず、無線通信の品質が劣悪な場合にのみデータ転送を中断する設定も可能である。【０００７】
これにより、特許文献１記載の無線通信装置は、無線データ転送において、データ送信中に無線通信が切断されることにより、データ送信先の記録装置のファイルシステムが破損することを防止できる。
【先行技術文献】
【特許文献】
【０００８】
【特許文献１】特開２００７−１５８４７１号公報
【発明の概要】
【発明が解決しようとする課題】
【０００９】
しかしながら、従来の無線通信装置では、無線データ転送の開始はユーザの操作に基づき行われる。具体的には、転送先の機器の選択、及び転送するデータの選択などをユーザが行う必要がある。【００１０】
また、特許文献１記載の技術は、ノートＰＣに関するものであり、このようなノートＰＣのユーザは、電気製品の操作に慣れている可能性が高い。よって、データ転送の操作が多少複雑であっても、大きな問題にはならないと考えられる。【００１１】
しかしながら、デジタルスチルカメラ及びデジタルビデオカメラなどのＡＶ機器では電気製品の扱いに不慣れなユーザも多数おり、無線データ転送の操作を、より簡単にすることが望まれている。【００１２】
そこで本発明は、簡単な操作で、無線通信を用いたデータ転送を行える無線通信装置を提供することを目的とする。
【課題を解決するための手段】
【００１３】
上記目的を達成するために、本発明に係る無線通信装置は、無線通信を用いて、記録媒体に記録されたデータを他の機器に送信する無線通信装置であって、前記無線通信装置が所定の通信エリア内に存在するか否かを判定する通信エリア判定部と、前記無線通信装置が静止しているか否かを検出する静止検出部と、前記通信エリア判定部で前記無線通信装置が所定のエリア内に存在すると判定され、且つ、前記静止検出部で前記無線通信装置が静止していることが検出された場合に、前記無線通信を用いた、前記記録媒体に記録されたデータの前記他の機器への送信を開始する無線通信部とを備える。【００１４】
また、前記無線通信装置は、さらに、前記他の機器が、予め指定された指定機器であるか否かを判定する機器判定部を備え、前記無線通信部は、前記通信エリア判定部で前記無線通信装置が所定のエリア内に存在すると判定され、且つ、前記静止検出部で前記無線通信装置が静止していることが検出され、且つ、前記機器判定部で前記他の機器が前記指定機器であると判定された場合に、前記無線通信を用いた、前記記録媒体に記録されたデータの前記他の機器への送信を開始してもよい。【００１５】
また、前記通信エリア判定部は、前記無線通信装置と無線通信可能な他の機器が複数存在する場合、当該複数の他の機器ごとに、所定の通信エリア内に存在するか否かを判定し、前記機器判定部は、前記複数の他の機器ごとに、当該他の機器が前記指定機器であるか否かを判定し、さらに、複数の前記他の機器が前記指定機器である場合、当該指定機器である複数の他の機器のうち、前記通信エリア判定部で所定エリア内に存在すると判定された他の機器の中で、検出された品質が最も高い他の機器をデータ送信先の他の機器に決定し、前記無線通信部は、前記機器判定部で決定された他の機器に、前記記録媒体に記録されたデータを送信してもよい。【００１６】
また、前記無線通信装置は、さらに、ユーザにより操作される開始スイッチを備え、前記無線通信部は、前記通信エリア判定部で前記所定の通信エリアに存在すると判定され、且つ、前記静止検出部で前記無線通信装置が静止していることが検出され、且つ、前記開始スイッチがオンされている場合に、前記無線通信を用いた、前記記録媒体に記録されたデータの前記他の機器への送信を開始してもよい。【００１７】
また、前記他の機器は、前記無線通信装置により送信された前記データを表示する表示装置であり、前記無線通信装置は、さらに、前記記録媒体に記録されたデータのリストを生成するリスト生成部を備え、前記無線通信部は、前記通信エリア判定部で前記無線通信装置が所定のエリア内に存在すると判定され、且つ、前記静止検出部で前記無線通信装置が静止していることが検出された場合に、前記リストを前記表示装置に前記無線通信を用いて送信し、前記リストに含まれるデータのうち、ユーザにより指定されたデータを前記表示装置へ送信してもよい。【００１８】
また、前記無線通信部は、前記表示装置により送信される、前記リストに含まれるデータのうちユーザにより指定されたデータを示す情報を受信し、受信した情報に示されるデータを前記表示装置へ送信してもよい。【００１９】
また、前記無線通信装置は、さらに、前記記録媒体に記録されたデータのリストを生成するリスト生成部と、前記通信エリア判定部で前記無線通信装置が所定のエリア内に存在すると判定され、且つ、前記静止検出部で前記無線通信装置が静止していることが検出された場合に、前記リストを表示する表示部と、ユーザの操作を受け付ける入力部とを備え、前記無線通信部は、前記リストに含まれるデータのうち、前記入力部を介して、前記ユーザにより指定されたデータを前記他の機器へ送信してもよい。【００２０】
また、前記無線通信装置は、さらに、前記無線通信部による前記データの前記送信中に、前記静止検出部で前記無線通信装置が移動していることが検出され、且つ、前記無線通信が所定の通信エリア内に存在するか否かを判定するための基準である第１閾値よりも広い所定の通信エリア内に存在するか否かを判定するための基準である第２閾値より外側であることが検出された場合、当該送信を中断する処理、及び、ユーザに警告を通知する処理のうち少なくとも一方の処理を行い、前記無線通信部による前記データの前記送信中に、前記静止検出部で当該無線通信装置が移動していることが検出され、且つ、前記通信エリア判定部で前記第１閾値の通信エリア外で、前記第２閾値の通信エリア内であることが検出された場合、前記少なくとも一方の処理を行う制御部を備えてもよい。【００２１】
また、前記通信エリア判定部は、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いて通信エリアを判定してもよい。【００２２】
また、前記通信エリア判定部は、ＰＨＹ（Ｐｈｙｓｉｃａｌ  Ｌａｙｅｒ）レートを用いて通信エリアを判定してもよい。【００２３】
また、前記通信エリア判定部は、ＰＥＲ（Ｐａｃｋｅｔ  Ｅｒｒｏｒ  Ｒａｔｅ）を用いて通信エリアを判定してもよい。【００２４】
また、前記静止検出部は、加速度センサを用いて静止を判定してもよい。【００２５】
また、前記静止検出部は、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いて、所定の時間間隔でＲＳＳＩを取得するためのタイマー部と、所定の回数ＲＳＳＩを取得するためのカウンタ部とを備え、所定期間におけるＲＳＳＩ値の変動が所定範囲内であるか否かにより静止を判定してもよい。【００２６】
また、前記静止検出部は、タッチセンサを用いて、ユーザが前記無線通信装置に触れているか否かにより静止を判定してもよい。【００２７】
また、前記静止検出部は、突起スイッチ部を用いて、前記突起スイッチ部が押されているか否かにより静止を判定してもよい。【００２８】
なお、本発明は、このような無線通信装置として実現できるだけでなく、無線通信装置に含まれる特徴的な手段をステップとする無線通信方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。【００２９】
また、本発明は、このような無線通信装置の機能の全て又は一部を実現する半導体集積回路（ＬＳＩ）として実現してもよい。さらに、本発明は、このような無線通信装置を備えるデジタルスチルカメラ及びデジタルビデオカメラとして実現してもよい。
【発明の効果】
【００３０】
以上より、本発明は、簡単な操作で、無線通信を用いたデータ転送を行える無線通信装置及び無線通信方法を提供できる。
【図面の簡単な説明】
【００３１】
【図１】図１は、本発明の実施の形態１に係る無線通信システムの構成を示す図である。
【図２】図２は、本発明の実施の形態１に係る無線通信装置のブロック図である。
【図３】図３は、本発明の実施の形態１に係る無線通信装置に保存されたデータを記録装置にバックアップする際のフローチャートである。
【図４】図４は、本発明の実施の形態１に係る無線通信装置による指定機器判定処理の流れを示すフローチャートである。
【図５】図５は、本発明の実施の形態２に係る無線通信システムの構成を示す図である。
【図６】図６は、本発明の実施の形態２に係る無線通信装置のブロック図である。
【図７】図７は、本発明の実施の形態２に係る無線通信装置に保存されたデータを表示装置に表示する際のフローチャートである。
【図８】図８は、本発明の実施の形態３に係る無線通信装置のブロック図である。
【図９】図９は、本発明の実施の形態３に係る無線通信装置に保存されたデータを表示装置に表示する際のフローチャートである。
【発明を実施するための形態】
【００３２】
以下に、本発明の実施の形態について、図面を参照しながら説明する。
【００３３】
（実施の形態１）
本発明の実施の形態１に係る無線通信装置は、所定の通信エリア内に存在し、かつ、当該無線通信装置が静止している場合に、無線データ転送を開始する。これにより、本発明に係る無線通信装置は、簡単な操作で、無線通信を用いたデータ転送を行える。
【００３４】
まず、本発明の実施の形態１に係る無線通信システムについて説明する。
【００３５】
図１は、本発明の実施の形態１に係る無線通信システムの構成例を示す図である。図１に示す無線通信システムは、無線通信装置１と、記録装置２とを含む。
【００３６】
無線通信装置１は、無線通信を用いて、記録媒体に記録されたデータを記録装置２に送信する。無線通信装置１は、例えば、図１に示すように無線通信機能を有するデジタルビデオカメラである。なお、無線通信装置１は、デジタルスチルカメラ、携帯電話機器、ＰＤＡ（携帯情報端末）、又はノートＰＣ等の携帯機器であってもよい。
【００３７】
記録装置２は、無線通信装置１により、無線通信を用いて送信されたデータを記録する。記録装置２は、例えば、図１に示すようにハードディスクレコーダである。なお、記録装置２は、データを記録する機能及び無線通信機能を有する機器であればよく、パーソナルコンピュータ等であってもよい。また、記録装置２は、据置機器に限定されるものではなく、デジタルビデオカメラ、デジタルスチルカメラ、携帯電話機器、ＰＤＡ、又はノートＰＣ等の携帯機器であってもよい。
【００３８】
ここで、無線通信装置１と記録装置２との間の無線通信に用いられる無線通信方式は、無線ＬＡＮ、Ｂｌｕｅｔｏｏｔｈ、又はＵＷＢ（Ｕｌｔｒａ  Ｗｉｄｅ  Ｂａｎｄ）などである。
【００３９】
また、図１に示すように、無線通信装置１と記録装置２との物理的な距離が短いほど、無線通信の品質（以下、通信品質）が高くなる。言い換えると、無線通信装置１を記録装置２に近づけるほど、通信品質が高くなる。
【００４０】
ここで、通信品質とは、通信が良好に行える度合いを示し、例えば、無線通信に用いられる電波の強度、通信速度、又は、通信エラーの発生頻度などである。また、通信品質が高いほど、通信がより良好に安定して行えることを示す。つまり、無線通信に用いられる電波の強度が高いほど、通信速度が速いほど、又は、通信エラーの発生頻度が低いほど、通信品質は高い。具体的には、通信品質とは、ＲＳＳＩ（Ｒｅｃｅｉｖｅｄ  Ｓｉｇｎａｌ  Ｓｔｒｅｎｇｔｈ  Ｉｎｄｉｃａｔｏｒ）、ＰＨＹ（Ｐｈｙｓｉｃａｌ  Ｌａｙｅｒ）レート、又はＰＥＲ（Ｐａｃｋｅｔ  Ｅｒｒｏｒ  Ｒａｔｅ）などである。
【００４１】
次に、無線通信装置１の構成を説明する。
【００４２】
図２は、無線通信装置１の構成を示すブロック図である。図２に示す無線通信装置１は、入力部１１と、出力部１２と、メモリ部１３と、制御部１４と、静止検出部１５と、通信エリア検出部１６と、無線通信部１７とを備える。
【００４３】
入力部１１は、操作ボタン、操作スイッチ又はタッチパネルなどであり、ユーザによる操作を受け付ける。
【００４４】
出力部１２は、モニタ及びスピーカなどであり、外部へ画像又は映像を表示するとともに、音声を出力する。
【００４５】
メモリ部１３は、無線通信装置１が備える撮影部（図示せず）により撮影された画像データ及び映像データ等の電子データ（以下、データ）を格納及び保存する。例えば、メモリ部１３は、無線通信装置１が備えるハードディスクドライブ又は不揮発性メモリ等の記録部である。なお、メモリ部１３は、無線通信装置１が備える記録媒体に限定されるものではなく、無線通信装置１に着脱可能な記録媒体であってもよい。例えば、メモリ部１３は、ＣＤ、ＤＶＤ及びＢＤ（Ｂｌｕ−ｒａｙ  Ｄｉｓｃ）等の光ディスクであってもよいし、メモリカード及びＵＳＢメモリ等の無線通信装置１に着脱可能な不揮発性メモリであってもよい。さらに、メモリ部１３は、これら無線通信装置１が備える記録部と、無線通信装置１に着脱可能な記録媒体との組み合わせであってもよい。
【００４６】
静止検出部１５は、加速度センサであり、無線通信装置１が静止しているか、移動しているかを検出する。
【００４７】
なお、静止検出部１５は、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いて、所定の時間間隔でＲＳＳＩを取得するためのタイマー部と、所定の回数ＲＳＳＩを取得するためのカウンタ部とを備え、所定期間におけるＲＳＳＩ値の変動が所定範囲内であるか否かにより静止を判定してもよい。
【００４８】
また、静止検出部１５は、タッチセンサを用いて、ユーザが無線通信装置１に触れているか否かにより静止を判定してもよい。
【００４９】
また、静止検出部１５は、突起スイッチ部を用いて、当該突起スイッチ部が押されているか否かにより静止を判定してもよい。
【００５０】
通信エリア検出部１６は、無線通信装置１と、記録装置２との間の無線区間における通信エリアを検出し、制御部１４へ検出結果を通知する。また、通信エリア検出部１６は、無線通信装置１と無線通信可能な機器が複数存在する場合には、当該複数の機器ごとに、当該機器と無線通信装置１との間の通信エリアを検出する。
【００５１】
無線通信部１７は、メモリ部１３に記録されるデータを、無線通信を用いて記録装置２へ送信する。また、無線通信部１７は、通信エリア判定部１９で所定のエリア内に存在することが検出され、且つ、静止検出部１５で無線通信装置１が静止していることが検出された場合に、メモリ部１３に記録されるデータの記録装置２への転送を開始する。
【００５２】
制御部１４は、無線通信装置１の全体の制御を行う。この制御部１４は、機器判定部１８と、通信エリア判定部１９と、通信開始制御部２０と、通信中断制御部２１とを備える。
【００５３】
機器判定部１８は、記録装置２が、予め指定された機器（以下、指定機器）であるか否かを判定する。ここで、指定機器とは、無線通信装置１が認証済みの機器、指定された属性（機能）を有する機器（例えば、データ記録機能を有する記録装置）、又は、指定された型番の機器である。
【００５４】
また、機器判定部１８は、無線通信装置１と無線通信可能な機器が複数存在する場合には、当該複数の機器ごとに、当該機器が指定機器であるか否かを判定する。さらに、機器判定部１８は、無線通信装置１と無線通信可能な、指定機器が複数存在する場合には、通信エリア判定部１９で所定のエリア内に存在すると検出された機器の中で、通信エリア検出部１６で検出された通信エリアが最も近接した配置であると判定された機器をデータ送信先の機器に決定する。この場合、無線通信部１７は、機器判定部１８で決定された機器にデータを送信する。
【００５５】
通信エリア判定部１９は、通信エリア検出部１６で検出された通信エリアが、閾値ＨＩＧＨ以上である（以下、通信品質ＨＩＧＨ）か、閾値ＨＩＧＨより小さく且つ閾値ＭＩＤＤＬＥ以上である（以下、通信品質ＭＩＤＤＬＥ）か、閾値ＭＩＤＤＬＥより小さい（以下、通信品質ＬＯＷ）かを判定する。ここで、通信品質ＨＩＧＨは、通信品質が変動しても無線データ転送が安定して行える。つまり、無線通信装置１が移動しても無線データ転送が安定して行える通信品質である。また、通信品質ＭＩＤＤＬＥは、無線通信装置１が静止していれば、無線データ転送を安定して行える通信品質である。また、通信品質ＬＯＷは、無線通信装置１が静止していても、無線データ転送を安定して行えない可能性がある通信品質である。
【００５６】
言い換えると、通信エリア判定部１９は、無線通信装置１と記録装置２との距離を判定する。例えば、通信エリア判定部１９は、無線通信装置１が、図１に示すＨＩＧＨレベル通信エリアに存在する（通信品質ＨＩＧＨ）か、ＭＩＤＤＬＥレベル通信エリアに存在する（通信品質ＭＩＤＤＬＥ）か、ＬＯＷレベル通信エリアに存在する（通信品質ＬＯＷ）かを判定する。
【００５７】
通信開始制御部２０は、無線データ転送の開始を制御する。具体的には、通信開始制御部２０は、通信エリア検出部１６で無線通信装置１がＭＩＤＤＬＥレベル通信エリア、又はＨＩＧＨレベル通信エリアに存在すると判定され、且つ、静止検出部１５で無線通信装置１が静止していることが検出された場合に、無線通信部１７に、メモリ部１３に記録されるデータの記録装置２への転送を開始させる。
【００５８】
通信中断制御部２１は、無線データ転送の中断を制御する。具体的には、通信中断制御部２１は、無線通信部１７によるデータ送信中に、静止検出部１５で無線通信装置１が移動していることが検出され、且つ、通信エリア判定部１９で、ＭＩＤＤＬＥ通信エリアに存在すると判定された場合、出力部１２を介してユーザに警告を通知するとともに、当該送信を中断する。また、通信中断制御部２１は、無線通信部１７によるデータ送信中に、静止検出部１５で無線通信装置１が移動していることが検出された場合でも、通信エリア判定部１９で、ＨＩＧＨレベル通信エリアに存在すると判定された場合には、当該送信を継続する。ここで、警告とは、無線データ送信を中断すること、通信品質が低下したこと（無線通信を安定して行えないこと）、又は無線通信装置１が移動したこと等を、ユーザに通知（警告）する警告メッセージを出力部１２に表示することである。また、通信中断制御部２１は、警告メッセージの表示に加え、出力部１２に警告音を出力させてもよいし、警告メッセージを表示せずに、出力部１２に警告音のみを出力させてもよい。
【００５９】
以上の構成により、ユーザが無線通信装置１を記録装置２の近くに移動させたうえで、無線通信装置１を静止させることで、無線通信装置１は、自動的に、メモリ部１３に記録されるデータを記録装置２に送信する。このように、本発明の実施の形態１に係る無線通信装置１は、簡単な操作で、無線通信装置１から記録装置２への無線データ転送を開始できる。
【００６０】
ここで、制御部１４に含まれる各処理部の機能は、典型的には、ＣＰＵ等のプロセッサがプログラムを実行することにより実現される。なお、制御部１４に含まれる各処理部の機能の一部又は全てを専用の回路（ハードウェア）により実現してもよい。
【００６１】
次に、転送保存時の無線通信装置１による動作を説明する。
【００６２】
図３は、無線通信装置１に保存されたデータを記録装置２にバックアップする際の無線通信装置１の動作の流れを示すフローチャートである。
【００６３】
まず、無線通信装置１は、記録装置２との間で無線通信のリンクを確立する（Ｓ３０１）。
【００６４】
次に、静止検出部１５により無線通信装置１の静止が検出されると（Ｓ３０２でＹｅｓ）、通信エリア判定部１９は、無線通信装置１がＨＩＧＨレベル通信エリア内に存在しているか否か、すなわち、通信エリア検出部１６で通信品質ＨＩＧＨが検出されているか否かを判定する（Ｓ３０３）。ここで、静止検出部１５による静止及び移動の検出と、通信エリア検出部１６による通信品質の検出、及び通信エリア判定部１９のエリア判定は、所定の時間間隔で繰り返し行われている。
【００６５】
無線通信装置１がＨＩＧＨレベル通信エリアに存在すれば（Ｓ３０３でＹｅｓ）、通信エリア判定部１９は、警告機能をＯＦＦに設定する（Ｓ３０４）。
【００６６】
一方、無線通信装置１がＨＩＧＨレベル通信エリアに存在しない場合（Ｓ３０３でＮｏ）、通信エリア判定部１９は、無線通信装置１がＭＩＤＤＬＥレベル通信エリア内に存在しているか否か、すなわち、通信エリア検出部１６で通信品質ＭＩＤＤＬＥが検出されているか否かを判定する（Ｓ３０５）。
【００６７】
無線通信装置１がＭＩＤＤＬＥレベル通信エリア内に存在している場合（Ｓ３０５でＹｅｓ）、通信エリア判定部１９は、警告機能をＯＮに設定する（Ｓ３０６）。
【００６８】
一方、無線通信装置１がＬＯＷレベル通信エリア内に存在している場合、すなわち、通信品質ＬＯＷであれば（Ｓ３０５でＮｏ）、無線通信装置１は、静止検出部１５で無線通信装置１の静止が再度検出されるまで待機する（Ｓ３０２）。
【００６９】
ステップＳ３０４又はＳ３０６の後、通信開始制御部２０は、メモリ部１３に記録装置２へ未送信のデータがあるか否か判定し（Ｓ３０７）、メモリ部１３に未送信のデータが無ければ（Ｓ３０７でＮｏ）、データ転送処理を終了する。
【００７０】
一方、メモリ部１３に未送信のデータがあれば（Ｓ３０７でＹｅｓ）、通信開始制御部２０は、無線通信部１７に、メモリ部１３に格納される未送信のデータの記録装置２への送信を開始させる（Ｓ３０８）。
【００７１】
その後、データ送信中に、静止検出部１５が無線通信装置１の移動を検出した場合（Ｓ３０９でＹｅｓ）、通信中断制御部２１は、警告機能がＯＦＦに設定されているか否か判定する（Ｓ３１０）。
【００７２】
警告機能がＯＮであれば（Ｓ３１０でＮｏ）、通信中断制御部２１は出力部１２からユーザへ警告を通知するとともに、無線通信部１７による無線通信を中断する（Ｓ３１２）。その後、無線通信装置１は、静止検出部１５で無線通信装置１の静止が検出されるまで待機する（Ｓ３０２）。
【００７３】
一方、データ送信中に、静止検出部１５で移動が検出されない場合（Ｓ３０９でＮｏ）、及び、警告機能がＯＦＦの場合（Ｓ３１０でＹｅｓ）、通信中断制御部２１は、無線通信が終了したか否かを判定する（Ｓ３１１）。
【００７４】
無線通信が終了していなければ（Ｓ３１１でＮｏ）、通信中断制御部２１は、ステップＳ３０９の処理に戻り、無線通信が終了していれば（Ｓ３１１でＹｅｓ）、データ転送処理を終了する。
【００７５】
なお、ステップＳ３０９〜Ｓ３１１の処理は、所定の時間間隔で繰り返し行われる処理である。
【００７６】
以上により、本発明に係る無線通信装置１は、良好な通信品質（通信品質ＨＩＧＨ又は通信品質ＭＩＤＤＬＥ）を確保できる通信エリア内に存在するまで、記録装置２に無線通信装置１を近づけたうえで、無線通信装置１を静止させるという簡単な操作で、無線通信装置１に保存された未送信データを記録装置２にバックアップできる。これにより、電気製品の扱いに不慣れなユーザでも、容易にバックアップを行える。
【００７７】
さらに、本発明に係る無線通信装置１は、データ転送中に、無線通信装置１を移動させた場合には、再度、無線通信装置１が静止するまで、データ転送を中断する。これにより、記録装置２のファイルシステムが破損することを防止できる。
【００７８】
さらに、本発明に係る無線通信装置１は、データ転送中に無線通信装置１を移動させた場合でも、良好な通信品質を確保できる通信エリア内に存在する場合（通信品質ＨＩＧＨの場合）には、データ転送を中断しない。これにより、不要なデータ転送の中断が発生することにより、データ転送時間の増加を抑制できる。
【００７９】
次に、無線通信装置１が無線通信可能な機器が複数存在する場合の、無線通信装置１の動作を説明する。
【００８０】
図４は、上述したステップＳ３０１の処理の流れを示すフローチャートである。
【００８１】
まず、機器判定部１８は、記録装置２が指定機器であるか否かを判定する（Ｓ４０１）。また、機器判定部１８は、無線通信装置１と無線通信可能な機器が複数存在する場合には、当該複数の機器ごとに、当該機器が指定機器であるか否かを判定する。
【００８２】
次に、無線通信装置１が無線通信可能な指定機器が複数存在する場合（Ｓ４０２でＹｅｓ）、機器判定部１８は、通信エリア検出部１６で最も近接した配置であると判定された機器をデータ送信先の機器に決定する（Ｓ４０３）。
【００８３】
一方、無線通信装置１が無線通信可能な指定機器が１つの場合（Ｓ４０２でＮｏ）、機器判定部１８は、当該１つの指定機器をデータ送信先の機器に決定する（Ｓ４０４）。
【００８４】
また、無線通信装置１は、ステップＳ４０３又はＳ４０４で、機器判定部１８によりデータ送信先の機器に決定された指定機器に対して、図３に示すステップＳ３０２以降の処理を行う。
【００８５】
また、無線通信装置１が無線通信可能な機器が指定機器でない場合（Ｓ４０１でＮｏ）、無線通信装置１は、データ転送処理を終了する。
【００８６】
以上により、本発明の実施の形態１に係る無線通信装置１は、予め指定された機器に対してのみ、無線データ転送を行う。これにより、ユーザが意図しない機器に、誤ってデータが送信されてしまうことを防止できる。例えば、記録装置２（ＨＤＤレコーダ）の近くに、他の無線通信機能を有する機器（テレビ及びゲーム機等）が配置されている場合でも、記録装置２に無線データ転送が行われる。
【００８７】
さらに、複数のデータ転送先の機器が存在する場合であっても、本発明に係る無線通信装置１を、データ転送先の機器に最も近づけるという簡単な操作で、データ転送先の機器を選択できる。
【００８８】
なお、図３及び図４に示す処理の順序は、一例であり、処理の順序を変更してもよい。
【００８９】
例えば、無線通信装置１の静止を検出した直後（Ｓ３０２の直後）に、無線通信装置１がＨＩＧＨレベル通信エリア内に存在しているか、ＭＩＤＤＬＥレベル通信エリア内に存在しているかの判定（Ｓ３０３及びＳ３０５）を行っているが、無線通信装置１の静止を検出した直後（Ｓ３０２の直後）では、通信品質ＭＩＤＤＬＥ以上であるか否かの判定を行い、データ送信開始後（Ｓ３０８より後）に無線通信装置１がＨＩＧＨレベル通信エリア内に存在しているか、ＭＩＤＤＬＥレベル通信エリア内に存在しているかの判定を行ってもよい。
【００９０】
また、上記説明では、ステップＳ３１２で、通信中断制御部２１は、警告の通知及び無線データ送信の中断を共に行うとしたが、ユーザに警告の通知のみを行ってもよいし、無線データ送信の中断のみを行ってもよい。
【００９１】
（実施の形態２）
本発明の実施の形態２では、転送表示を行う場合の例を説明する。具体的には、本発明の実施の形態２に係る無線通信装置１ａは、無線送信を開始する場合に、コンテンツデータのリストを表示し、ユーザにより選択されたデータのみを送信する。
【００９２】
まず、本発明の実施の形態２に係る無線通信システムについて説明する。
【００９３】
図５は、本発明の実施の形態２に係る無線通信システムの構成例を示す図である。図５に示す無線通信システムは、無線通信装置１ａと、表示装置３とを含む。
【００９４】
無線通信装置１ａは、無線通信を用いて、記録媒体に記録されたデータを表示装置３に送信する。無線通信装置１ａは、例えば、図５に示すように無線通信機能を有するデジタルビデオカメラである。なお、無線通信装置１は、デジタルスチルカメラ、携帯電話機器、ＰＤＡ（携帯情報端末）、又はノートＰＣ等の携帯機器であってもよい。
【００９５】
表示装置３は、無線通信装置１ａにより、無線通信を用いて送信されたデータを表示する。この表示装置３は、例えば、図５に示すようにデジタルテレビである。なお、表示装置３は、データを表示する機能及び無線通信機能を有する機器であればよく、パーソナルコンピュータ等であってもよい。また、表示装置３は、据置機器に限定されるものではなく、携帯電話機器、ＰＤＡ、又はノートＰＣ等の携帯機器であってもよい。
【００９６】
図６は、本発明の実施の形態２に係る無線通信装置１ａのブロック図である。なお、図２と同様の要素には同一の符号を付しており、重複する説明は省略する。
【００９７】
図６に示す無線通信装置１ａは、図２に示す無線通信装置１の構成に加え、開始スイッチ４１を備える。また、制御部１４は、さらに、リスト生成部４２を備える。また、通信中断制御部２１が警告部４３に置き換わり、通信開始制御部２０ａの機能が異なる。
【００９８】
開始スイッチ４１は、無線通信のデータ送信を開始する制御スイッチであり、ユーザにより開始スイッチ４１のオン／オフが操作される。例えば、開始スイッチ４１は、トグルスイッチ又は押しボタンスイッチである。また、開始スイッチ４１のオン／オフに対応する操作が、入力部１１に入力されてもよい。
【００９９】
通信開始制御部２０ａは、無線データ転送の開始を制御する。具体的には、通信開始制御部２０は、通信エリア判定部１９で無線通信装置１がＨＩＧＨレベル通信エリア内に存在している、又は、ＭＩＤＤＬＥレベル通信エリア内に存在していることが判定され、且つ、静止検出部１５で無線通信装置１ａが静止していることが検出され、且つ、開始スイッチ４１がオンされている場合に、無線通信部１７に、メモリ部１３に記録されるデータの記録装置２への転送を開始させる。
【０１００】
警告部４３は、無線データ転送中に出力部１２を介して、ユーザに警告を通知する。具体的には、警告部４３は、無線通信部１７によるデータ送信中に、静止検出部１５で無線通信装置１ａが移動していることが検出され、且つ、通信エリア検出部１６で、通信品質ＭＩＤＤＬＥが検出された場合、出力部１２を介して、ユーザに警告を通知する。ここで、警告とは、通信品質が低下したこと（無線通信を安定して行えないこと）、又は無線通信装置１が移動したこと等を、ユーザに通知（警告）する警告メッセージを出力部１２に表示することである。また、警告部４３は、警告メッセージの表示に加え、出力部１２に警告音を出力させてもよいし、警告メッセージを表示せずに、出力部１２に警告音のみを出力させてもよい。
【０１０１】
リスト生成部４２は、メモリ部１３に記録されているコンテンツデータのリストであるコンテンツリストを生成する。また、出力部１２は、通信エリア判定部１９で無線通信装置１がＨＩＧＨレベル通信エリア内に存在している、又は、ＭＩＤＤＬＥレベル通信エリア内に存在していることが判定され、且つ、開始スイッチ４１がオンされている場合に、リスト生成部４２により生成されたコンテンツリストを表示する。
【０１０２】
次に、無線通信装置１ａの動作を説明する。
【０１０３】
図７は、無線通信装置１ａに保存されたデータを表示装置３に転送表示する際のフローチャートである。なお、図７に示すステップＳ５０１〜Ｓ５０６及びＳ５１１〜Ｓ５１３の処理は、図３に示すステップＳ３０１〜Ｓ３０６及びＳ３０９〜Ｓ３１１の処理と同様であり、ステップＳ５０７〜Ｓ５１０及びＳ５１４の処理が、図３に示す処理と異なる。
【０１０４】
まず、無線通信装置１ａは、表示装置３との間で無線通信のリンクを確立する（Ｓ５０１）。
【０１０５】
次に、静止検出部１５により無線通信装置１ａの静止が検出されると（Ｓ５０２でＹｅｓ）、通信エリア判定部１９は、無線通信装置１がＨＩＧＨレベル通信エリア内に存在しているか否か、すなわち、通信エリア検出部１６で通信品質ＨＩＧＨが検出されているか否かを判定する（Ｓ５０３）。
【０１０６】
無線通信装置１がＨＩＧＨレベル通信エリアに存在すれば（Ｓ５０３でＹｅｓ）、通信エリア判定部１９は、警告機能をＯＦＦに設定する（Ｓ５０４）。
【０１０７】
一方、無線通信装置１がＨＩＧＨレベル通信エリアに存在しない場合（Ｓ５０３でＮｏ）、通信エリア判定部１９は、無線通信装置１がＭＩＤＤＬＥレベル通信エリア内に存在しているか否か、すなわち、通信エリア検出部１６で通信品質ＭＩＤＤＬＥが検出されているか否かを判定する（Ｓ５０５）。
【０１０８】
無線通信装置１がＭＩＤＤＬＥレベル通信エリア内に存在している場合（Ｓ５０５でＹｅｓ）、通信エリア判定部１９は、警告機能をＯＮに設定する（Ｓ５０６）。
【０１０９】
一方、無線通信装置１がＬＯＷレベル通信エリア内に存在している場合（Ｓ５０５でＮｏ）、無線通信装置１ａは、静止検出部１５で無線通信装置１ａの静止が検出されるまで待機する（Ｓ５０２）。
【０１１０】
ステップＳ５０４又はＳ５０６の後、通信開始制御部２０ａは、メモリ部１３にデータが格納されているか否か判定し（Ｓ５０７）、メモリ部１３にデータが格納されていなければ（Ｓ５０７でＮｏ）、データ転送処理を終了する。
【０１１１】
一方、メモリ部１３にデータが格納されていれば（Ｓ５０７でＹｅｓ）、通信開始制御部２０ａは、開始スイッチ４１がＯＮであるか否かを判定する（Ｓ５０８）。
【０１１２】
ユーザにより開始スイッチ４１がＯＮに設定されると（Ｓ５０８でＹｅｓ）、リスト生成部４２は、メモリ部１３に記録されているコンテンツデータのリストであるコンテンツリストを生成する。次に、出力部１２は、リスト生成部４２により生成されたコンテンツリストを表示する（Ｓ５０９）。なお、リスト生成部４２がコンテンツリストを生成するタイミングは、ステップＳ５０９以前であれば、任意のタイミングでよい。
【０１１３】
次に、ユーザは、入力部１１を用いて、出力部１２により表示されたコンテンツリストから転送表示したいコンテンツデータを選択する。通信開始制御部２０ａは、無線通信部１７に、ユーザが選択したコンテンツデータを表示装置３へ送信する無線データ送信を開始させる（Ｓ５１０）。
【０１１４】
その後、データ送信中に、静止検出部１５が無線通信装置１ａの移動を検出した場合（Ｓ５１１でＹｅｓ）、警告部４３は、警告機能がＯＦＦに設定されているか否か判定する（Ｓ５１２）。
【０１１５】
警告機能がＯＮであれば（Ｓ５１２でＮｏ）、警告部４３は出力部１２を介して、ユーザに警告を通知する（Ｓ５１４）。その後、警告部４３は、ステップＳ５１１の処理に移行する。
【０１１６】
一方、静止検出部１５で移動が検出されない場合（Ｓ５１１でＮｏ）、及び、警告機能がＯＦＦの場合（Ｓ５１２でＹｅｓ）、警告部４３は、無線通信が終了したか否かを判定する（Ｓ５１３）。
【０１１７】
無線通信が終了していなければ（Ｓ５１３でＮｏ）、警告部４３は、ステップＳ５１１の処理に戻り、無線通信が終了していれば（Ｓ５１３でＹｅｓ）、データ転送処理を終了する。
【０１１８】
なお、ステップＳ５１１〜Ｓ５１３の処理は、所定の時間間隔で繰り返し行われる処理である。
【０１１９】
以上により、本発明の実施の形態２に係る無線通信装置１ａは、良好な通信品質（通信品質ＨＩＧＨ又は通信品質ＭＩＤＤＬＥ）を確保できる通信エリア（すなわち、Ｈｉｇｈレベル通信エリア、又は、ＭＩＤＤＬＥレベル通信エリア）内に存在するまで、記録装置２に無線通信装置１を近づけたうえで、無線通信装置１を静止させるという簡単な操作で、メモリ部１３に記録されるコンテンツデータのリストが表示される。ユーザは、このリストから表示装置３に表示させたいコンテンツデータを選択するという簡単な操作で、表示装置３に任意のコンテンツデータを表示できる。これにより、電気製品の扱いに不慣れなユーザでも、容易に無線通信装置１ａに保存された電子データを表示装置３に転送表示できる。
【０１２０】
さらに、本発明に係る無線通信装置１ａは、データ転送中に、無線通信装置１ａが移動された場合には、ユーザに警告を通知する。これにより、表示装置３に正しくデータが転送できないことにより、表示装置３にコンテンツデータが正しく表示されないことを防止できる。
【０１２１】
さらに、本発明に係る無線通信装置１ａは、データ転送中に無線通信装置１ａが移動された場合でも、良好な通信品質を確保できる場合（ＨＩＧＨレベル通信エリア内に存在する場合）には、警告を通知しない。これにより、不要な警告が通知されることを防止できる。
【０１２２】
なお、実施の形態１と異なり、データ転送を中断しない理由は、転送表示時には、送信先機器でのファイルシステムの破損する恐れはなく、また、コンテンツの表示が中断されることにより、ユーザが不快に感じるからである。
【０１２３】
また、上記説明では、ステップＳ５０８で、ユーザにより開始スイッチ４１がオンされるとしたが、ステップＳ５０８より前に、ユーザにより開始スイッチ４１がオンされていてもよい。また、開始スイッチ４１がオンされている場合にのみ、無線通信装置１ａは、図７に示すステップＳ５０１以降の処理を行ってもよい。
【０１２４】
また、送信先の機器が、記録装置２である場合にも、上述した開始スイッチ４１による制御（Ｓ５０８）、及び、コンテンツリスト（データリスト）の表示処理（Ｓ５０９及びＳ５１０）のうち、少なくとも一方を行ってもよい。
【０１２５】
（実施の形態３）
本発明の実施の形態３に係る無線通信装置１ｂは、メモリ部１３に記録されるコンテンツデータのリストを表示装置３に表示する。また、無線通信装置１ｂは、表示装置３に対するユーザの操作に基づき、無線データ転送を開始する。なお、実施の形態３に係る無線通信システムの構成は、例えば、図５と同様である。
【０１２６】
図８は、本発明の実施の形態３に係る無線通信装置１ｂの構成を示すブロック図である。なお、図２及び図６と同様の要素には、同一の符号を付しており説明は省略する。
【０１２７】
図８に示す無線通信装置１ｂは、図２に示す無線通信装置１の構成に加え、制御部１４が、さらに、リスト生成部４２を備える。また、通信中断制御部２１が警告部４３に置き換わり、通信開始制御部２０ｂの機能が異なる。なお、リスト生成部４２及び警告部４３の機能は、実施の形態２と同様である。
【０１２８】
通信開始制御部２０ｂは、無線通信部１７に、リスト生成部４２により生成されたコンテンツリストを、表示装置３に無線送信させる。また、通信開始制御部２０ｂは、表示装置３から送信された情報に基づき、表示装置３に送信するデータを選択する。
【０１２９】
図９は、無線通信装置１ｂに保存されたデータを表示装置３に転送表示する際のフローチャートである。なお、図９に示すステップＳ６０１〜Ｓ６０７及びＳ６１１〜Ｓ６１４の処理は、図７に示すステップＳ５０１〜Ｓ５０７及びＳ５１１〜Ｓ５１４の処理と同様であり、ステップＳ６０８〜Ｓ６１０の処理が、図７に示す処理と異なる。
【０１３０】
まず、無線通信装置１ｂは、表示装置３との間で無線通信のリンクを確立する（Ｓ６０１）。
【０１３１】
次に、静止検出部１５により無線通信装置１ｂの静止が検出されると（Ｓ６０２でＹｅｓ）、通信エリア判定部１９は、無線通信装置１がＨＩＧＨレベル通信エリア内に存在しているか否か、すなわち、通信エリア検出部１６で通信品質ＨＩＧＨが検出されているか否かを判定する（Ｓ６０３）。
【０１３２】
無線通信装置１がＨＩＧＨレベル通信エリアに存在すれば（Ｓ６０３でＹｅｓ）、通信エリア判定部１９は、警告機能をＯＦＦに設定する（Ｓ６０４）。
【０１３３】
一方、無線通信装置１がＨＩＧＨレベル通信エリアに存在しない場合（Ｓ６０３でＮｏ）、通信エリア判定部１９は、無線通信装置１がＭＩＤＤＬＥレベル通信エリア内に存在しているか否か、すなわち、通信エリア検出部１６で通信品質ＭＩＤＤＬＥが検出されているか否かを判定する（Ｓ６０５）。
【０１３４】
無線通信装置１がＭＩＤＤＬＥレベル通信エリア内に存在している場合（Ｓ６０５でＹｅｓ）、通信エリア判定部１９は、警告機能をＯＮに設定する（Ｓ６０６）。
【０１３５】
一方、無線通信装置１がＬＯＷレベル通信エリア内に存在している場合（Ｓ６０５でＮｏ）、無線通信装置１ｂは、静止検出部１５で無線通信装置１ｂの静止が検出されるまで待機する（Ｓ６０２）。
【０１３６】
ステップＳ６０４及びＳ６０６の後、通信開始制御部２０ｂは、メモリ部１３にデータが格納されているか否か判定し（Ｓ６０７）、メモリ部１３にデータが格納されていなければ（Ｓ６０７でＮｏ）、データ転送処理を終了する。
【０１３７】
一方、メモリ部１３にデータが格納されていれば（Ｓ６０７でＹｅｓ）、リスト生成部４２は、メモリ部１３に記録されているコンテンツデータのリストであるコンテンツリストを生成する。次に、無線通信部１７は、リスト生成部４２により生成されたコンテンツリストを、表示装置３に無線送信する（Ｓ６０８）。なお、リスト生成部４２がコンテンツリストを生成するタイミングは、ステップＳ６０９以前であれば、任意のタイミングでよい。
【０１３８】
表示装置３は、無線通信部１７により送信されたコンテンツリストを受信し、受信したコンテンツリストをユーザに表示する。ユーザは、表示装置３に表示されたコンテンツリストから表示装置３に転送表示したいコンテンツを選択する。例えば、ユーザは、表示装置３のリモコンなどを用いて、転送表示したコンテンツを選択する。次に、表示装置３は、ユーザにより選択されたコンテンツを示す選択情報を、無線通信装置１ｂに送信する。
【０１３９】
無線通信部１７は、表示装置３により送信された選択情報を受信し（Ｓ６０９）、通信開始制御部２０ｂは、無線通信部１７に、選択情報で示されるコンテンツのデータを表示装置３へ送信する無線データ送信を開始させる（Ｓ６１０）。
【０１４０】
その後、データ送信中に、静止検出部１５が無線通信装置１ｂの移動を検出した場合（Ｓ６１１でＹｅｓ）、警告部４３は、警告機能がＯＦＦに設定されているか否か判定する（Ｓ６１２）。
【０１４１】
警告機能がＯＮであれば（Ｓ６１２でＮｏ）、警告部４３は出力部１２からユーザに警告を通知する（Ｓ６１４）。その後、警告部４３は、ステップＳ６１１の処理に移行する。
【０１４２】
一方、静止検出部１５で移動が検出されない場合（Ｓ６１１でＮｏ）、又は、警告機能がＯＦＦの場合（Ｓ６１２でＹｅｓ）、警告部４３は、無線通信が終了したか否かを判定する（Ｓ６１３）。
【０１４３】
無線通信が終了していなければ（Ｓ６１３でＮｏ）、警告部４３は、ステップＳ６１１の処理に戻り、無線通信が終了していれば（Ｓ６１３でＹｅｓ）、データ転送処理を終了する。
【０１４４】
以上により、本発明の実施の形態３に係る無線通信装置１ｂは、良好な通信品質（通信品質ＨＩＧＨ又は通信品質ＭＩＤＤＬＥ）を確保できる通信エリア（すなわち、ＨＩＧＨレベル通信エリア、又は、ＭＩＤＤＬＥレベル通信エリア）内に存在するまで、記録装置２に無線通信装置１を近づけたうえで、無線通信装置１を静止させるという簡単な操作で、メモリ部１３に記録されるコンテンツデータのリストが表示装置３に表示される。ユーザは、このリストから表示装置３に表示させたいコンテンツデータを選択するという簡単な操作で、表示装置３に任意のコンテンツデータを表示できる。これにより、電気製品の扱いに不慣れなユーザでも、容易に無線通信装置１ｂに保存された電子データを表示装置３に転送表示できる。
【０１４５】
さらに、本発明の実施の形態３に係る無線通信装置１ｂは、コンテンツリストを表示装置３に表示した後、表示装置３に対するユーザの操作に基づき、無線データ転送を開始する。これにより、ユーザは、無線通信装置１ｂに対して、複雑な操作を行うことなく、無線データ転送を開始できる。具体的には、ユーザは、無線通信装置１ｂを、表示装置３に近づけたうえで、これからコンテンツを表示しようとしている表示装置３（例えば、テレビ）のリモコンを操作するという容易な操作で、転送表示を開始できる。また、コンテンツリストが、デジタルビデオカメラ等が備える小画面の表示部ではなく、テレビ等の大画面に表示されるので、ユーザのコンテンツ選択の操作が快適である。
【０１４６】
なお、無線通信装置１ｂは、上述した実施の形態２と同様に、開始スイッチ４１を備え、当該開始スイッチ４１に基づき、無線データ送信開始の制御を行ってもよい。
【０１４７】
また、本発明は、上記実施の形態１に係る無線通信装置１と、実施の形態２又は３に係る無線通信装置１ａ及び１ｂのうち一方との機能を有する無線通信装置として実現してもよい。
【０１４８】
また、上記実施の形態１〜３に係る、無線通信装置１、１ａ、１ｂ及びその変形例の機能のうち少なくとも一部を組み合わせてもよい。
【産業上の利用可能性】
【０１４９】
本発明は、無線通信装置に適用でき、特に、デジタルスチルカメラ及びデジタルビデオカメラ等のモバイルＡＶ機器に適用できる。
【符号の説明】
【０１５０】
１、１ａ、１ｂ  無線通信装置
２  記録装置
３  表示装置
１１  入力部
１２  出力部
１３  メモリ部
１４  制御部
１５  静止検出部
１６  通信エリア検出部
１７  無線通信部
１８  機器判定部
１９  通信エリア判定部
２０、２０ａ、２０ｂ  通信開始制御部
２１  通信中断制御部
４１  開始スイッチ
４２  リスト生成部
４３  警告部
【図１】
2010055697.tif 000003
【図２】
2010055697.tif 000004
【図３】
2010055697.tif 000005
【図４】
2010055697.tif 000006
【図５】
2010055697.tif 000007
【図６】
2010055697.tif 000008
【図７】
2010055697.tif 000009
【図８】
2010055697.tif 000010
【図９】
2010055697.tif 000011
【手続補正書】
【提出日】平成22年6月17日(2010.6.17)
【手続補正１】
【補正対象書類名】明細書
【補正対象項目名】全文
【補正方法】変更
【補正の内容】
【発明の詳細な説明】
【技術分野】
【０００１】
本発明は、無線通信装置及び無線通信方法に関し、特に、無線通信を用いて、記録媒体に記録されたデータを他の機器に送信する無線通信装置に関する。
【背景技術】
【０００２】
従来、スチルカメラではフィルムに画像（静止画像）データを保存し、ビデオカメラではＶＨＳテープなどの記録媒体に映像（動画像）データを保存していた。現在では、ＡＶ機器のデジタル化の進展が著しく、デジタルスチルカメラ及びデジタルビデオカメラでは、ＳＤカードなどのデジタル記録媒体が使用されている。さらに、記録した映像及び画像データの出力方法も変化してきている。
【０００３】
従来のスチルカメラではフィルムを現像するしかデータの出力方法が無かったが、デジタルスチルカメラでは、記録された画像データをＳＤカードなどのデジタル記録メディア、又はＵＳＢケーブルなどの有線ケーブルを介して、パソコン又はＨＤＤレコーダ等の記録装置へ転送して保存（以下、転送保存）したり、テレビ又はプロジェクター等の表示装置へ転送して表示（以下、転送表示）したりすることが可能となっている。
【０００４】
また、デジタルビデオカメラでも、ＳＤカード又は有線ケーブルを介して、テレビ又はレコーダへ映像及び画像データを転送保存及び転送表示できる。
【０００５】
また、映像及び画像データの転送方法としては、Ｂｌｕｅｔｏｏｔｈ又は無線ＬＡＮなどを利用した無線データ転送もＡＶ機器において用いられている。これに伴い、デジタルスチルカメラ及びデジタルビデオカメラに無線ＬＡＮ機能を内蔵した機種などが発売されている。
【０００６】
一方で、ノートＰＣ等の無線通信装置において、無線データ転送中に、データ送信元の無線通信装置の移動を検出し、当該無線通信装置が移動した際に、データ転送を中断する技術が知られている（例えば、特許文献１参照）。さらに、特許文献１記載の技術では、無線通信の品質が良好であれば、データ転送を中断せず、無線通信の品質が劣悪な場合にのみデータ転送を中断する設定も可能である。
【０００７】
これにより、特許文献１記載の無線通信装置は、無線データ転送において、データ送信中に無線通信が切断されることにより、データ送信先の記録装置のファイルシステムが破損することを防止できる。
【先行技術文献】
【特許文献】
【０００８】
【特許文献１】特開２００７−１５８４７１号公報
【発明の概要】
【発明が解決しようとする課題】
【０００９】
しかしながら、従来の無線通信装置では、無線データ転送の開始はユーザの操作に基づき行われる。具体的には、転送先の機器の選択、及び転送するデータの選択などをユーザが行う必要がある。
【００１０】
また、特許文献１記載の技術は、ノートＰＣに関するものであり、このようなノートＰＣのユーザは、電気製品の操作に慣れている可能性が高い。よって、データ転送の操作が多少複雑であっても、大きな問題にはならないと考えられる。
【００１１】
しかしながら、デジタルスチルカメラ及びデジタルビデオカメラなどのＡＶ機器では電気製品の扱いに不慣れなユーザも多数おり、無線データ転送の操作を、より簡単にすることが望まれている。
【００１２】
そこで本発明は、簡単な操作で、無線通信を用いたデータ転送を行える無線通信装置を提供することを目的とする。
【課題を解決するための手段】
【００１３】
上記目的を達成するために、本発明に係る無線通信装置は、無線通信を用いて、記録媒体に記録されたデータを他の機器に送信する無線通信装置であって、前記無線通信装置が所定の通信エリア内に存在するか否かを判定する通信エリア判定部と、前記無線通信装置が静止しているか否かを検出する静止検出部と、前記通信エリア判定部で前記無線通信装置が所定のエリア内に存在すると判定され、且つ、前記静止検出部で前記無線通信装置が静止していることが検出された場合に、前記無線通信を用いた、前記記録媒体に記録されたデータの前記他の機器への送信を開始する無線通信部とを備える。
【００１４】
また、前記無線通信装置は、さらに、前記他の機器が、予め指定された指定機器であるか否かを判定する機器判定部を備え、前記無線通信部は、前記通信エリア判定部で前記無線通信装置が所定のエリア内に存在すると判定され、且つ、前記静止検出部で前記無線通信装置が静止していることが検出され、且つ、前記機器判定部で前記他の機器が前記指定機器であると判定された場合に、前記無線通信を用いた、前記記録媒体に記録されたデータの前記他の機器への送信を開始してもよい。
【００１５】
また、前記通信エリア判定部は、前記無線通信装置と無線通信可能な他の機器が複数存在する場合、当該複数の他の機器ごとに、所定の通信エリア内に存在するか否かを判定し、前記機器判定部は、前記複数の他の機器ごとに、当該他の機器が前記指定機器であるか否かを判定し、さらに、複数の前記他の機器が前記指定機器である場合、当該指定機器である複数の他の機器のうち、前記通信エリア判定部で所定エリア内に存在すると判定された他の機器の中で、検出された品質が最も高い他の機器をデータ送信先の他の機器に決定し、前記無線通信部は、前記機器判定部で決定された他の機器に、前記記録媒体に記録されたデータを送信してもよい。
【００１６】
また、前記無線通信装置は、さらに、ユーザにより操作される開始スイッチを備え、前記無線通信部は、前記通信エリア判定部で前記所定の通信エリアに存在すると判定され、且つ、前記静止検出部で前記無線通信装置が静止していることが検出され、且つ、前記開始スイッチがオンされている場合に、前記無線通信を用いた、前記記録媒体に記録されたデータの前記他の機器への送信を開始してもよい。
【００１７】
また、前記他の機器は、前記無線通信装置により送信された前記データを表示する表示装置であり、前記無線通信装置は、さらに、前記記録媒体に記録されたデータのリストを生成するリスト生成部を備え、前記無線通信部は、前記通信エリア判定部で前記無線通信装置が所定のエリア内に存在すると判定され、且つ、前記静止検出部で前記無線通信装置が静止していることが検出された場合に、前記リストを前記表示装置に前記無線通信を用いて送信し、前記リストに含まれるデータのうち、ユーザにより指定されたデータを前記表示装置へ送信してもよい。
【００１８】
また、前記無線通信部は、前記表示装置により送信される、前記リストに含まれるデータのうちユーザにより指定されたデータを示す情報を受信し、受信した情報に示されるデータを前記表示装置へ送信してもよい。
【００１９】
また、前記無線通信装置は、さらに、前記記録媒体に記録されたデータのリストを生成するリスト生成部と、前記通信エリア判定部で前記無線通信装置が所定のエリア内に存在すると判定され、且つ、前記静止検出部で前記無線通信装置が静止していることが検出された場合に、前記リストを表示する表示部と、ユーザの操作を受け付ける入力部とを備え、前記無線通信部は、前記リストに含まれるデータのうち、前記入力部を介して、前記ユーザにより指定されたデータを前記他の機器へ送信してもよい。
【００２０】
また、前記無線通信装置は、さらに、前記無線通信部による前記データの前記送信中に、前記静止検出部で前記無線通信装置が移動していることが検出され、且つ、前記無線通信が所定の通信エリア内に存在するか否かを判定するための基準である第１閾値よりも広い所定の通信エリア内に存在するか否かを判定するための基準である第２閾値より外側であることが検出された場合、当該送信を中断する処理、及び、ユーザに警告を通知する処理のうち少なくとも一方の処理を行い、前記無線通信部による前記データの前記送信中に、前記静止検出部で当該無線通信装置が移動していることが検出され、且つ、前記通信エリア判定部で前記第１閾値の通信エリア外で、前記第２閾値の通信エリア内であることが検出された場合、前記少なくとも一方の処理を行う制御部を備えてもよい。
【００２１】
また、前記通信エリア判定部は、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いて通信エリアを判定してもよい。
【００２２】
また、前記通信エリア判定部は、ＰＨＹ（Ｐｈｙｓｉｃａｌ  Ｌａｙｅｒ）レートを用いて通信エリアを判定してもよい。
【００２３】
また、前記通信エリア判定部は、ＰＥＲ（Ｐａｃｋｅｔ  Ｅｒｒｏｒ  Ｒａｔｅ）を用いて通信エリアを判定してもよい。
【００２４】
また、前記静止検出部は、加速度センサを用いて静止を判定してもよい。
【００２５】
また、前記静止検出部は、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いて、所定の時間間隔でＲＳＳＩを取得するためのタイマー部と、所定の回数ＲＳＳＩを取得するためのカウンタ部とを備え、所定期間におけるＲＳＳＩ値の変動が所定範囲内であるか否かにより静止を判定してもよい。
【００２６】
また、前記静止検出部は、タッチセンサを用いて、ユーザが前記無線通信装置に触れているか否かにより静止を判定してもよい。
【００２７】
また、前記静止検出部は、突起スイッチ部を用いて、前記突起スイッチ部が押されているか否かにより静止を判定してもよい。
【００２８】
なお、本発明は、このような無線通信装置として実現できるだけでなく、無線通信装置に含まれる特徴的な手段をステップとする無線通信方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。
【００２９】
また、本発明は、このような無線通信装置の機能の全て又は一部を実現する半導体集積回路（ＬＳＩ）として実現してもよい。さらに、本発明は、このような無線通信装置を備えるデジタルスチルカメラ及びデジタルビデオカメラとして実現してもよい。
【発明の効果】
【００３０】
以上より、本発明は、簡単な操作で、無線通信を用いたデータ転送を行える無線通信装置及び無線通信方法を提供できる。
【図面の簡単な説明】
【００３１】
【図１】図１は、本発明の実施の形態１に係る無線通信システムの構成を示す図である。
【図２】図２は、本発明の実施の形態１に係る無線通信装置のブロック図である。
【図３】図３は、本発明の実施の形態１に係る無線通信装置に保存されたデータを記録装置にバックアップする際のフローチャートである。
【図４】図４は、本発明の実施の形態１に係る無線通信装置による指定機器判定処理の流れを示すフローチャートである。
【図５】図５は、本発明の実施の形態２に係る無線通信システムの構成を示す図である。
【図６】図６は、本発明の実施の形態２に係る無線通信装置のブロック図である。
【図７】図７は、本発明の実施の形態２に係る無線通信装置に保存されたデータを表示装置に表示する際のフローチャートである。
【図８】図８は、本発明の実施の形態３に係る無線通信装置のブロック図である。
【図９】図９は、本発明の実施の形態３に係る無線通信装置に保存されたデータを表示装置に表示する際のフローチャートである。
【発明を実施するための形態】
【００３２】
以下に、本発明の実施の形態について、図面を参照しながら説明する。
【００３３】
（実施の形態１）
本発明の実施の形態１に係る無線通信装置は、所定の通信エリア内に存在し、かつ、当該無線通信装置が静止している場合に、無線データ転送を開始する。これにより、本発明に係る無線通信装置は、簡単な操作で、無線通信を用いたデータ転送を行える。
【００３４】
まず、本発明の実施の形態１に係る無線通信システムについて説明する。
【００３５】
図１は、本発明の実施の形態１に係る無線通信システムの構成例を示す図である。図１に示す無線通信システムは、無線通信装置１と、記録装置２とを含む。
【００３６】
無線通信装置１は、無線通信を用いて、記録媒体に記録されたデータを記録装置２に送信する。無線通信装置１は、例えば、図１に示すように無線通信機能を有するデジタルビデオカメラである。なお、無線通信装置１は、デジタルスチルカメラ、携帯電話機器、ＰＤＡ（携帯情報端末）、又はノートＰＣ等の携帯機器であってもよい。
【００３７】
記録装置２は、無線通信装置１により、無線通信を用いて送信されたデータを記録する。記録装置２は、例えば、図１に示すようにハードディスクレコーダである。なお、記録装置２は、データを記録する機能及び無線通信機能を有する機器であればよく、パーソナルコンピュータ等であってもよい。また、記録装置２は、据置機器に限定されるものではなく、デジタルビデオカメラ、デジタルスチルカメラ、携帯電話機器、ＰＤＡ、又はノートＰＣ等の携帯機器であってもよい。
【００３８】
ここで、無線通信装置１と記録装置２との間の無線通信に用いられる無線通信方式は、無線ＬＡＮ、Ｂｌｕｅｔｏｏｔｈ、又はＵＷＢ（Ｕｌｔｒａ  Ｗｉｄｅ  Ｂａｎｄ）などである。
【００３９】
また、図１に示すように、無線通信装置１と記録装置２との物理的な距離が短いほど、無線通信の品質（以下、通信品質）が高くなる。言い換えると、無線通信装置１を記録装置２に近づけるほど、通信品質が高くなる。
【００４０】
ここで、通信品質とは、通信が良好に行える度合いを示し、例えば、無線通信に用いられる電波の強度、通信速度、又は、通信エラーの発生頻度などである。また、通信品質が高いほど、通信がより良好に安定して行えることを示す。つまり、無線通信に用いられる電波の強度が高いほど、通信速度が速いほど、又は、通信エラーの発生頻度が低いほど、通信品質は高い。具体的には、通信品質とは、ＲＳＳＩ（Ｒｅｃｅｉｖｅｄ  Ｓｉｇｎａｌ  Ｓｔｒｅｎｇｔｈ  Ｉｎｄｉｃａｔｏｒ）、ＰＨＹ（Ｐｈｙｓｉｃａｌ  Ｌａｙｅｒ）レート、又はＰＥＲ（Ｐａｃｋｅｔ  Ｅｒｒｏｒ  Ｒａｔｅ）などである。
【００４１】
次に、無線通信装置１の構成を説明する。
【００４２】
図２は、無線通信装置１の構成を示すブロック図である。図２に示す無線通信装置１は、入力部１１と、出力部１２と、メモリ部１３と、制御部１４と、静止検出部１５と、通信エリア検出部１６と、無線通信部１７とを備える。
【００４３】
入力部１１は、操作ボタン、操作スイッチ又はタッチパネルなどであり、ユーザによる操作を受け付ける。
【００４４】
出力部１２は、モニタ及びスピーカなどであり、外部へ画像又は映像を表示するとともに、音声を出力する。
【００４５】
メモリ部１３は、無線通信装置１が備える撮影部（図示せず）により撮影された画像データ及び映像データ等の電子データ（以下、データ）を格納及び保存する。例えば、メモリ部１３は、無線通信装置１が備えるハードディスクドライブ又は不揮発性メモリ等の記録部である。なお、メモリ部１３は、無線通信装置１が備える記録媒体に限定されるものではなく、無線通信装置１に着脱可能な記録媒体であってもよい。例えば、メモリ部１３は、ＣＤ、ＤＶＤ及びＢＤ（Ｂｌｕ−ｒａｙ  Ｄｉｓｃ）等の光ディスクであってもよいし、メモリカード及びＵＳＢメモリ等の無線通信装置１に着脱可能な不揮発性メモリであってもよい。さらに、メモリ部１３は、これら無線通信装置１が備える記録部と、無線通信装置１に着脱可能な記録媒体との組み合わせであってもよい。
【００４６】
静止検出部１５は、加速度センサであり、無線通信装置１が静止しているか、移動しているかを検出する。
【００４７】
なお、静止検出部１５は、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いて、所定の時間間隔でＲＳＳＩを取得するためのタイマー部と、所定の回数ＲＳＳＩを取得するためのカウンタ部とを備え、所定期間におけるＲＳＳＩ値の変動が所定範囲内であるか否かにより静止を判定してもよい。
【００４８】
また、静止検出部１５は、タッチセンサを用いて、ユーザが無線通信装置１に触れているか否かにより静止を判定してもよい。
【００４９】
また、静止検出部１５は、突起スイッチ部を用いて、当該突起スイッチ部が押されているか否かにより静止を判定してもよい。
【００５０】
通信エリア検出部１６は、無線通信装置１と、記録装置２との間の無線区間における通信エリアを検出し、制御部１４へ検出結果を通知する。また、通信エリア検出部１６は、無線通信装置１と無線通信可能な機器が複数存在する場合には、当該複数の機器ごとに、当該機器と無線通信装置１との間の通信エリアを検出する。
【００５１】
無線通信部１７は、メモリ部１３に記録されるデータを、無線通信を用いて記録装置２へ送信する。また、無線通信部１７は、通信エリア判定部１９で所定のエリア内に存在することが検出され、且つ、静止検出部１５で無線通信装置１が静止していることが検出された場合に、メモリ部１３に記録されるデータの記録装置２への転送を開始する。
【００５２】
制御部１４は、無線通信装置１の全体の制御を行う。この制御部１４は、機器判定部１８と、通信エリア判定部１９と、通信開始制御部２０と、通信中断制御部２１とを備える。
【００５３】
機器判定部１８は、記録装置２が、予め指定された機器（以下、指定機器）であるか否かを判定する。ここで、指定機器とは、無線通信装置１が認証済みの機器、指定された属性（機能）を有する機器（例えば、データ記録機能を有する記録装置）、又は、指定された型番の機器である。
【００５４】
また、機器判定部１８は、無線通信装置１と無線通信可能な機器が複数存在する場合には、当該複数の機器ごとに、当該機器が指定機器であるか否かを判定する。さらに、機器判定部１８は、無線通信装置１と無線通信可能な、指定機器が複数存在する場合には、通信エリア判定部１９で所定のエリア内に存在すると検出された機器の中で、通信エリア検出部１６で検出された通信エリアが最も近接した配置であると判定された機器をデータ送信先の機器に決定する。この場合、無線通信部１７は、機器判定部１８で決定された機器にデータを送信する。
【００５５】
通信エリア判定部１９は、通信エリア検出部１６で検出された通信エリアが、閾値ＨＩＧＨ以上である（以下、通信品質ＨＩＧＨ）か、閾値ＨＩＧＨより小さく且つ閾値ＭＩＤＤＬＥ以上である（以下、通信品質ＭＩＤＤＬＥ）か、閾値ＭＩＤＤＬＥより小さい（以下、通信品質ＬＯＷ）かを判定する。ここで、通信品質ＨＩＧＨは、通信品質が変動しても無線データ転送が安定して行える。つまり、無線通信装置１が移動しても無線データ転送が安定して行える通信品質である。また、通信品質ＭＩＤＤＬＥは、無線通信装置１が静止していれば、無線データ転送を安定して行える通信品質である。また、通信品質ＬＯＷは、無線通信装置１が静止していても、無線データ転送を安定して行えない可能性がある通信品質である。
【００５６】
言い換えると、通信エリア判定部１９は、無線通信装置１と記録装置２との距離を判定する。例えば、通信エリア判定部１９は、無線通信装置１が、図１に示すＨＩＧＨレベル通信エリアに存在する（通信品質ＨＩＧＨ）か、ＭＩＤＤＬＥレベル通信エリアに存在する（通信品質ＭＩＤＤＬＥ）か、ＬＯＷレベル通信エリアに存在する（通信品質ＬＯＷ）かを判定する。
【００５７】
通信開始制御部２０は、無線データ転送の開始を制御する。具体的には、通信開始制御部２０は、通信エリア検出部１６で無線通信装置１がＭＩＤＤＬＥレベル通信エリア、又はＨＩＧＨレベル通信エリアに存在すると判定され、且つ、静止検出部１５で無線通信装置１が静止していることが検出された場合に、無線通信部１７に、メモリ部１３に記録されるデータの記録装置２への転送を開始させる。
【００５８】
通信中断制御部２１は、無線データ転送の中断を制御する。具体的には、通信中断制御部２１は、無線通信部１７によるデータ送信中に、静止検出部１５で無線通信装置１が移動していることが検出され、且つ、通信エリア判定部１９で、ＭＩＤＤＬＥ通信エリアに存在すると判定された場合、出力部１２を介してユーザに警告を通知するとともに、当該送信を中断する。また、通信中断制御部２１は、無線通信部１７によるデータ送信中に、静止検出部１５で無線通信装置１が移動していることが検出された場合でも、通信エリア判定部１９で、ＨＩＧＨレベル通信エリアに存在すると判定された場合には、当該送信を継続する。ここで、警告とは、無線データ送信を中断すること、通信品質が低下したこと（無線通信を安定して行えないこと）、又は無線通信装置１が移動したこと等を、ユーザに通知（警告）する警告メッセージを出力部１２に表示することである。また、通信中断制御部２１は、警告メッセージの表示に加え、出力部１２に警告音を出力させてもよいし、警告メッセージを表示せずに、出力部１２に警告音のみを出力させてもよい。
【００５９】
以上の構成により、ユーザが無線通信装置１を記録装置２の近くに移動させたうえで、無線通信装置１を静止させることで、無線通信装置１は、自動的に、メモリ部１３に記録されるデータを記録装置２に送信する。このように、本発明の実施の形態１に係る無線通信装置１は、簡単な操作で、無線通信装置１から記録装置２への無線データ転送を開始できる。
【００６０】
ここで、制御部１４に含まれる各処理部の機能は、典型的には、ＣＰＵ等のプロセッサがプログラムを実行することにより実現される。なお、制御部１４に含まれる各処理部の機能の一部又は全てを専用の回路（ハードウェア）により実現してもよい。
【００６１】
次に、転送保存時の無線通信装置１による動作を説明する。
【００６２】
図３は、無線通信装置１に保存されたデータを記録装置２にバックアップする際の無線通信装置１の動作の流れを示すフローチャートである。
【００６３】
まず、無線通信装置１は、記録装置２との間で無線通信のリンクを確立する（Ｓ３０１）。
【００６４】
次に、静止検出部１５により無線通信装置１の静止が検出されると（Ｓ３０２でＹｅｓ）、通信エリア判定部１９は、無線通信装置１がＨＩＧＨレベル通信エリア内に存在しているか否か、すなわち、通信エリア検出部１６で通信品質ＨＩＧＨが検出されているか否かを判定する（Ｓ３０３）。ここで、静止検出部１５による静止及び移動の検出と、通信エリア検出部１６による通信品質の検出、及び通信エリア判定部１９のエリア判定は、所定の時間間隔で繰り返し行われている。
【００６５】
無線通信装置１がＨＩＧＨレベル通信エリアに存在すれば（Ｓ３０３でＹｅｓ）、通信エリア判定部１９は、警告機能をＯＦＦに設定する（Ｓ３０４）。
【００６６】
一方、無線通信装置１がＨＩＧＨレベル通信エリアに存在しない場合（Ｓ３０３でＮｏ）、通信エリア判定部１９は、無線通信装置１がＭＩＤＤＬＥレベル通信エリア内に存在しているか否か、すなわち、通信エリア検出部１６で通信品質ＭＩＤＤＬＥが検出されているか否かを判定する（Ｓ３０５）。
【００６７】
無線通信装置１がＭＩＤＤＬＥレベル通信エリア内に存在している場合（Ｓ３０５でＹｅｓ）、通信エリア判定部１９は、警告機能をＯＮに設定する（Ｓ３０６）。
【００６８】
一方、無線通信装置１がＬＯＷレベル通信エリア内に存在している場合、すなわち、通信品質ＬＯＷであれば（Ｓ３０５でＮｏ）、無線通信装置１は、静止検出部１５で無線通信装置１の静止が再度検出されるまで待機する（Ｓ３０２）。
【００６９】
ステップＳ３０４又はＳ３０６の後、通信開始制御部２０は、メモリ部１３に記録装置２へ未送信のデータがあるか否か判定し（Ｓ３０７）、メモリ部１３に未送信のデータが無ければ（Ｓ３０７でＮｏ）、データ転送処理を終了する。
【００７０】
一方、メモリ部１３に未送信のデータがあれば（Ｓ３０７でＹｅｓ）、通信開始制御部２０は、無線通信部１７に、メモリ部１３に格納される未送信のデータの記録装置２への送信を開始させる（Ｓ３０８）。
【００７１】
その後、データ送信中に、静止検出部１５が無線通信装置１の移動を検出した場合（Ｓ３０９でＹｅｓ）、通信中断制御部２１は、警告機能がＯＦＦに設定されているか否か判定する（Ｓ３１０）。
【００７２】
警告機能がＯＮであれば（Ｓ３１０でＮｏ）、通信中断制御部２１は出力部１２からユーザへ警告を通知するとともに、無線通信部１７による無線通信を中断する（Ｓ３１２）。その後、無線通信装置１は、静止検出部１５で無線通信装置１の静止が検出されるまで待機する（Ｓ３０２）。
【００７３】
一方、データ送信中に、静止検出部１５で移動が検出されない場合（Ｓ３０９でＮｏ）、及び、警告機能がＯＦＦの場合（Ｓ３１０でＹｅｓ）、通信中断制御部２１は、無線通信が終了したか否かを判定する（Ｓ３１１）。
【００７４】
無線通信が終了していなければ（Ｓ３１１でＮｏ）、通信中断制御部２１は、ステップＳ３０９の処理に戻り、無線通信が終了していれば（Ｓ３１１でＹｅｓ）、データ転送処理を終了する。
【００７５】
なお、ステップＳ３０９〜Ｓ３１１の処理は、所定の時間間隔で繰り返し行われる処理である。
【００７６】
以上により、本発明に係る無線通信装置１は、良好な通信品質（通信品質ＨＩＧＨ又は通信品質ＭＩＤＤＬＥ）を確保できる通信エリア内に存在するまで、記録装置２に無線通信装置１を近づけたうえで、無線通信装置１を静止させるという簡単な操作で、無線通信装置１に保存された未送信データを記録装置２にバックアップできる。これにより、電気製品の扱いに不慣れなユーザでも、容易にバックアップを行える。
【００７７】
さらに、本発明に係る無線通信装置１は、データ転送中に、無線通信装置１を移動させた場合には、再度、無線通信装置１が静止するまで、データ転送を中断する。これにより、記録装置２のファイルシステムが破損することを防止できる。
【００７８】
さらに、本発明に係る無線通信装置１は、データ転送中に無線通信装置１を移動させた場合でも、良好な通信品質を確保できる通信エリア内に存在する場合（通信品質ＨＩＧＨの場合）には、データ転送を中断しない。これにより、不要なデータ転送の中断が発生することにより、データ転送時間の増加を抑制できる。
【００７９】
次に、無線通信装置１が無線通信可能な機器が複数存在する場合の、無線通信装置１の動作を説明する。
【００８０】
図４は、上述したステップＳ３０１の処理の流れを示すフローチャートである。
【００８１】
まず、機器判定部１８は、記録装置２が指定機器であるか否かを判定する（Ｓ４０１）。また、機器判定部１８は、無線通信装置１と無線通信可能な機器が複数存在する場合には、当該複数の機器ごとに、当該機器が指定機器であるか否かを判定する。
【００８２】
次に、無線通信装置１が無線通信可能な指定機器が複数存在する場合（Ｓ４０２でＹｅｓ）、機器判定部１８は、通信エリア検出部１６で最も近接した配置であると判定された機器をデータ送信先の機器に決定する（Ｓ４０３）。
【００８３】
一方、無線通信装置１が無線通信可能な指定機器が１つの場合（Ｓ４０２でＮｏ）、機器判定部１８は、当該１つの指定機器をデータ送信先の機器に決定する（Ｓ４０４）。
【００８４】
また、無線通信装置１は、ステップＳ４０３又はＳ４０４で、機器判定部１８によりデータ送信先の機器に決定された指定機器に対して、図３に示すステップＳ３０２以降の処理を行う。
【００８５】
また、無線通信装置１が無線通信可能な機器が指定機器でない場合（Ｓ４０１でＮｏ）、無線通信装置１は、データ転送処理を終了する。
【００８６】
以上により、本発明の実施の形態１に係る無線通信装置１は、予め指定された機器に対してのみ、無線データ転送を行う。これにより、ユーザが意図しない機器に、誤ってデータが送信されてしまうことを防止できる。例えば、記録装置２（ＨＤＤレコーダ）の近くに、他の無線通信機能を有する機器（テレビ及びゲーム機等）が配置されている場合でも、記録装置２に無線データ転送が行われる。
【００８７】
さらに、複数のデータ転送先の機器が存在する場合であっても、本発明に係る無線通信装置１を、データ転送先の機器に最も近づけるという簡単な操作で、データ転送先の機器を選択できる。
【００８８】
なお、図３及び図４に示す処理の順序は、一例であり、処理の順序を変更してもよい。
【００８９】
例えば、無線通信装置１の静止を検出した直後（Ｓ３０２の直後）に、無線通信装置１がＨＩＧＨレベル通信エリア内に存在しているか、ＭＩＤＤＬＥレベル通信エリア内に存在しているかの判定（Ｓ３０３及びＳ３０５）を行っているが、無線通信装置１の静止を検出した直後（Ｓ３０２の直後）では、通信品質ＭＩＤＤＬＥ以上であるか否かの判定を行い、データ送信開始後（Ｓ３０８より後）に無線通信装置１がＨＩＧＨレベル通信エリア内に存在しているか、ＭＩＤＤＬＥレベル通信エリア内に存在しているかの判定を行ってもよい。
【００９０】
また、上記説明では、ステップＳ３１２で、通信中断制御部２１は、警告の通知及び無線データ送信の中断を共に行うとしたが、ユーザに警告の通知のみを行ってもよいし、無線データ送信の中断のみを行ってもよい。
【００９１】
（実施の形態２）
本発明の実施の形態２では、転送表示を行う場合の例を説明する。具体的には、本発明の実施の形態２に係る無線通信装置１ａは、無線送信を開始する場合に、コンテンツデータのリストを表示し、ユーザにより選択されたデータのみを送信する。
【００９２】
まず、本発明の実施の形態２に係る無線通信システムについて説明する。
【００９３】
図５は、本発明の実施の形態２に係る無線通信システムの構成例を示す図である。図５に示す無線通信システムは、無線通信装置１ａと、表示装置３とを含む。
【００９４】
無線通信装置１ａは、無線通信を用いて、記録媒体に記録されたデータを表示装置３に送信する。無線通信装置１ａは、例えば、図５に示すように無線通信機能を有するデジタルビデオカメラである。なお、無線通信装置１は、デジタルスチルカメラ、携帯電話機器、ＰＤＡ（携帯情報端末）、又はノートＰＣ等の携帯機器であってもよい。
【００９５】
表示装置３は、無線通信装置１ａにより、無線通信を用いて送信されたデータを表示する。この表示装置３は、例えば、図５に示すようにデジタルテレビである。なお、表示装置３は、データを表示する機能及び無線通信機能を有する機器であればよく、パーソナルコンピュータ等であってもよい。また、表示装置３は、据置機器に限定されるものではなく、携帯電話機器、ＰＤＡ、又はノートＰＣ等の携帯機器であってもよい。
【００９６】
図６は、本発明の実施の形態２に係る無線通信装置１ａのブロック図である。なお、図２と同様の要素には同一の符号を付しており、重複する説明は省略する。
【００９７】
図６に示す無線通信装置１ａは、図２に示す無線通信装置１の構成に加え、開始スイッチ４１を備える。また、制御部１４は、さらに、リスト生成部４２を備える。また、通信中断制御部２１が警告部４３に置き換わり、通信開始制御部２０ａの機能が異なる。
【００９８】
開始スイッチ４１は、無線通信のデータ送信を開始する制御スイッチであり、ユーザにより開始スイッチ４１のオン／オフが操作される。例えば、開始スイッチ４１は、トグルスイッチ又は押しボタンスイッチである。また、開始スイッチ４１のオン／オフに対応する操作が、入力部１１に入力されてもよい。
【００９９】
通信開始制御部２０ａは、無線データ転送の開始を制御する。具体的には、通信開始制御部２０は、通信エリア判定部１９で無線通信装置１がＨＩＧＨレベル通信エリア内に存在している、又は、ＭＩＤＤＬＥレベル通信エリア内に存在していることが判定され、且つ、静止検出部１５で無線通信装置１ａが静止していることが検出され、且つ、開始スイッチ４１がオンされている場合に、無線通信部１７に、メモリ部１３に記録されるデータの記録装置２への転送を開始させる。
【０１００】
警告部４３は、無線データ転送中に出力部１２を介して、ユーザに警告を通知する。具体的には、警告部４３は、無線通信部１７によるデータ送信中に、静止検出部１５で無線通信装置１ａが移動していることが検出され、且つ、通信エリア検出部１６で、通信品質ＭＩＤＤＬＥが検出された場合、出力部１２を介して、ユーザに警告を通知する。ここで、警告とは、通信品質が低下したこと（無線通信を安定して行えないこと）、又は無線通信装置１が移動したこと等を、ユーザに通知（警告）する警告メッセージを出力部１２に表示することである。また、警告部４３は、警告メッセージの表示に加え、出力部１２に警告音を出力させてもよいし、警告メッセージを表示せずに、出力部１２に警告音のみを出力させてもよい。
【０１０１】
リスト生成部４２は、メモリ部１３に記録されているコンテンツデータのリストであるコンテンツリストを生成する。また、出力部１２は、通信エリア判定部１９で無線通信装置１がＨＩＧＨレベル通信エリア内に存在している、又は、ＭＩＤＤＬＥレベル通信エリア内に存在していることが判定され、且つ、開始スイッチ４１がオンされている場合に、リスト生成部４２により生成されたコンテンツリストを表示する。
【０１０２】
次に、無線通信装置１ａの動作を説明する。
【０１０３】
図７は、無線通信装置１ａに保存されたデータを表示装置３に転送表示する際のフローチャートである。なお、図７に示すステップＳ５０１〜Ｓ５０６及びＳ５１１〜Ｓ５１３の処理は、図３に示すステップＳ３０１〜Ｓ３０６及びＳ３０９〜Ｓ３１１の処理と同様であり、ステップＳ５０７〜Ｓ５１０及びＳ５１４の処理が、図３に示す処理と異なる。
【０１０４】
まず、無線通信装置１ａは、表示装置３との間で無線通信のリンクを確立する（Ｓ５０１）。
【０１０５】
次に、静止検出部１５により無線通信装置１ａの静止が検出されると（Ｓ５０２でＹｅｓ）、通信エリア判定部１９は、無線通信装置１がＨＩＧＨレベル通信エリア内に存在しているか否か、すなわち、通信エリア検出部１６で通信品質ＨＩＧＨが検出されているか否かを判定する（Ｓ５０３）。
【０１０６】
無線通信装置１がＨＩＧＨレベル通信エリアに存在すれば（Ｓ５０３でＹｅｓ）、通信エリア判定部１９は、警告機能をＯＦＦに設定する（Ｓ５０４）。
【０１０７】
一方、無線通信装置１がＨＩＧＨレベル通信エリアに存在しない場合（Ｓ５０３でＮｏ）、通信エリア判定部１９は、無線通信装置１がＭＩＤＤＬＥレベル通信エリア内に存在しているか否か、すなわち、通信エリア検出部１６で通信品質ＭＩＤＤＬＥが検出されているか否かを判定する（Ｓ５０５）。
【０１０８】
無線通信装置１がＭＩＤＤＬＥレベル通信エリア内に存在している場合（Ｓ５０５でＹｅｓ）、通信エリア判定部１９は、警告機能をＯＮに設定する（Ｓ５０６）。
【０１０９】
一方、無線通信装置１がＬＯＷレベル通信エリア内に存在している場合（Ｓ５０５でＮｏ）、無線通信装置１ａは、静止検出部１５で無線通信装置１ａの静止が検出されるまで待機する（Ｓ５０２）。
【０１１０】
ステップＳ５０４又はＳ５０６の後、通信開始制御部２０ａは、メモリ部１３にデータが格納されているか否か判定し（Ｓ５０７）、メモリ部１３にデータが格納されていなければ（Ｓ５０７でＮｏ）、データ転送処理を終了する。
【０１１１】
一方、メモリ部１３にデータが格納されていれば（Ｓ５０７でＹｅｓ）、通信開始制御部２０ａは、開始スイッチ４１がＯＮであるか否かを判定する（Ｓ５０８）。
【０１１２】
ユーザにより開始スイッチ４１がＯＮに設定されると（Ｓ５０８でＹｅｓ）、リスト生成部４２は、メモリ部１３に記録されているコンテンツデータのリストであるコンテンツリストを生成する。次に、出力部１２は、リスト生成部４２により生成されたコンテンツリストを表示する（Ｓ５０９）。なお、リスト生成部４２がコンテンツリストを生成するタイミングは、ステップＳ５０９以前であれば、任意のタイミングでよい。
【０１１３】
次に、ユーザは、入力部１１を用いて、出力部１２により表示されたコンテンツリストから転送表示したいコンテンツデータを選択する。通信開始制御部２０ａは、無線通信部１７に、ユーザが選択したコンテンツデータを表示装置３へ送信する無線データ送信を開始させる（Ｓ５１０）。
【０１１４】
その後、データ送信中に、静止検出部１５が無線通信装置１ａの移動を検出した場合（Ｓ５１１でＹｅｓ）、警告部４３は、警告機能がＯＦＦに設定されているか否か判定する（Ｓ５１２）。
【０１１５】
警告機能がＯＮであれば（Ｓ５１２でＮｏ）、警告部４３は出力部１２を介して、ユーザに警告を通知する（Ｓ５１４）。その後、警告部４３は、ステップＳ５１１の処理に移行する。
【０１１６】
一方、静止検出部１５で移動が検出されない場合（Ｓ５１１でＮｏ）、及び、警告機能がＯＦＦの場合（Ｓ５１２でＹｅｓ）、警告部４３は、無線通信が終了したか否かを判定する（Ｓ５１３）。
【０１１７】
無線通信が終了していなければ（Ｓ５１３でＮｏ）、警告部４３は、ステップＳ５１１の処理に戻り、無線通信が終了していれば（Ｓ５１３でＹｅｓ）、データ転送処理を終了する。
【０１１８】
なお、ステップＳ５１１〜Ｓ５１３の処理は、所定の時間間隔で繰り返し行われる処理である。
【０１１９】
以上により、本発明の実施の形態２に係る無線通信装置１ａは、良好な通信品質（通信品質ＨＩＧＨ又は通信品質ＭＩＤＤＬＥ）を確保できる通信エリア（すなわち、Ｈｉｇｈレベル通信エリア、又は、ＭＩＤＤＬＥレベル通信エリア）内に存在するまで、記録装置２に無線通信装置１を近づけたうえで、無線通信装置１を静止させるという簡単な操作で、メモリ部１３に記録されるコンテンツデータのリストが表示される。ユーザは、このリストから表示装置３に表示させたいコンテンツデータを選択するという簡単な操作で、表示装置３に任意のコンテンツデータを表示できる。これにより、電気製品の扱いに不慣れなユーザでも、容易に無線通信装置１ａに保存された電子データを表示装置３に転送表示できる。
【０１２０】
さらに、本発明に係る無線通信装置１ａは、データ転送中に、無線通信装置１ａが移動された場合には、ユーザに警告を通知する。これにより、表示装置３に正しくデータが転送できないことにより、表示装置３にコンテンツデータが正しく表示されないことを防止できる。
【０１２１】
さらに、本発明に係る無線通信装置１ａは、データ転送中に無線通信装置１ａが移動された場合でも、良好な通信品質を確保できる場合（ＨＩＧＨレベル通信エリア内に存在する場合）には、警告を通知しない。これにより、不要な警告が通知されることを防止できる。
【０１２２】
なお、実施の形態１と異なり、データ転送を中断しない理由は、転送表示時には、送信先機器でのファイルシステムの破損する恐れはなく、また、コンテンツの表示が中断されることにより、ユーザが不快に感じるからである。
【０１２３】
また、上記説明では、ステップＳ５０８で、ユーザにより開始スイッチ４１がオンされるとしたが、ステップＳ５０８より前に、ユーザにより開始スイッチ４１がオンされていてもよい。また、開始スイッチ４１がオンされている場合にのみ、無線通信装置１ａは、図７に示すステップＳ５０１以降の処理を行ってもよい。
【０１２４】
また、送信先の機器が、記録装置２である場合にも、上述した開始スイッチ４１による制御（Ｓ５０８）、及び、コンテンツリスト（データリスト）の表示処理（Ｓ５０９及びＳ５１０）のうち、少なくとも一方を行ってもよい。
【０１２５】
（実施の形態３）
本発明の実施の形態３に係る無線通信装置１ｂは、メモリ部１３に記録されるコンテンツデータのリストを表示装置３に表示する。また、無線通信装置１ｂは、表示装置３に対するユーザの操作に基づき、無線データ転送を開始する。なお、実施の形態３に係る無線通信システムの構成は、例えば、図５と同様である。
【０１２６】
図８は、本発明の実施の形態３に係る無線通信装置１ｂの構成を示すブロック図である。なお、図２及び図６と同様の要素には、同一の符号を付しており説明は省略する。
【０１２７】
図８に示す無線通信装置１ｂは、図２に示す無線通信装置１の構成に加え、制御部１４が、さらに、リスト生成部４２を備える。また、通信中断制御部２１が警告部４３に置き換わり、通信開始制御部２０ｂの機能が異なる。なお、リスト生成部４２及び警告部４３の機能は、実施の形態２と同様である。
【０１２８】
通信開始制御部２０ｂは、無線通信部１７に、リスト生成部４２により生成されたコンテンツリストを、表示装置３に無線送信させる。また、通信開始制御部２０ｂは、表示装置３から送信された情報に基づき、表示装置３に送信するデータを選択する。
【０１２９】
図９は、無線通信装置１ｂに保存されたデータを表示装置３に転送表示する際のフローチャートである。なお、図９に示すステップＳ６０１〜Ｓ６０７及びＳ６１１〜Ｓ６１４の処理は、図７に示すステップＳ５０１〜Ｓ５０７及びＳ５１１〜Ｓ５１４の処理と同様であり、ステップＳ６０８〜Ｓ６１０の処理が、図７に示す処理と異なる。
【０１３０】
まず、無線通信装置１ｂは、表示装置３との間で無線通信のリンクを確立する（Ｓ６０１）。
【０１３１】
次に、静止検出部１５により無線通信装置１ｂの静止が検出されると（Ｓ６０２でＹｅｓ）、通信エリア判定部１９は、無線通信装置１がＨＩＧＨレベル通信エリア内に存在しているか否か、すなわち、通信エリア検出部１６で通信品質ＨＩＧＨが検出されているか否かを判定する（Ｓ６０３）。
【０１３２】
無線通信装置１がＨＩＧＨレベル通信エリアに存在すれば（Ｓ６０３でＹｅｓ）、通信エリア判定部１９は、警告機能をＯＦＦに設定する（Ｓ６０４）。
【０１３３】
一方、無線通信装置１がＨＩＧＨレベル通信エリアに存在しない場合（Ｓ６０３でＮｏ）、通信エリア判定部１９は、無線通信装置１がＭＩＤＤＬＥレベル通信エリア内に存在しているか否か、すなわち、通信エリア検出部１６で通信品質ＭＩＤＤＬＥが検出されているか否かを判定する（Ｓ６０５）。
【０１３４】
無線通信装置１がＭＩＤＤＬＥレベル通信エリア内に存在している場合（Ｓ６０５でＹｅｓ）、通信エリア判定部１９は、警告機能をＯＮに設定する（Ｓ６０６）。
【０１３５】
一方、無線通信装置１がＬＯＷレベル通信エリア内に存在している場合（Ｓ６０５でＮｏ）、無線通信装置１ｂは、静止検出部１５で無線通信装置１ｂの静止が検出されるまで待機する（Ｓ６０２）。
【０１３６】
ステップＳ６０４及びＳ６０６の後、通信開始制御部２０ｂは、メモリ部１３にデータが格納されているか否か判定し（Ｓ６０７）、メモリ部１３にデータが格納されていなければ（Ｓ６０７でＮｏ）、データ転送処理を終了する。
【０１３７】
一方、メモリ部１３にデータが格納されていれば（Ｓ６０７でＹｅｓ）、リスト生成部４２は、メモリ部１３に記録されているコンテンツデータのリストであるコンテンツリストを生成する。次に、無線通信部１７は、リスト生成部４２により生成されたコンテンツリストを、表示装置３に無線送信する（Ｓ６０８）。なお、リスト生成部４２がコンテンツリストを生成するタイミングは、ステップＳ６０９以前であれば、任意のタイミングでよい。
【０１３８】
表示装置３は、無線通信部１７により送信されたコンテンツリストを受信し、受信したコンテンツリストをユーザに表示する。ユーザは、表示装置３に表示されたコンテンツリストから表示装置３に転送表示したいコンテンツを選択する。例えば、ユーザは、表示装置３のリモコンなどを用いて、転送表示したコンテンツを選択する。次に、表示装置３は、ユーザにより選択されたコンテンツを示す選択情報を、無線通信装置１ｂに送信する。
【０１３９】
無線通信部１７は、表示装置３により送信された選択情報を受信し（Ｓ６０９）、通信開始制御部２０ｂは、無線通信部１７に、選択情報で示されるコンテンツのデータを表示装置３へ送信する無線データ送信を開始させる（Ｓ６１０）。
【０１４０】
その後、データ送信中に、静止検出部１５が無線通信装置１ｂの移動を検出した場合（Ｓ６１１でＹｅｓ）、警告部４３は、警告機能がＯＦＦに設定されているか否か判定する（Ｓ６１２）。
【０１４１】
警告機能がＯＮであれば（Ｓ６１２でＮｏ）、警告部４３は出力部１２からユーザに警告を通知する（Ｓ６１４）。その後、警告部４３は、ステップＳ６１１の処理に移行する。
【０１４２】
一方、静止検出部１５で移動が検出されない場合（Ｓ６１１でＮｏ）、又は、警告機能がＯＦＦの場合（Ｓ６１２でＹｅｓ）、警告部４３は、無線通信が終了したか否かを判定する（Ｓ６１３）。
【０１４３】
無線通信が終了していなければ（Ｓ６１３でＮｏ）、警告部４３は、ステップＳ６１１の処理に戻り、無線通信が終了していれば（Ｓ６１３でＹｅｓ）、データ転送処理を終了する。
【０１４４】
以上により、本発明の実施の形態３に係る無線通信装置１ｂは、良好な通信品質（通信品質ＨＩＧＨ又は通信品質ＭＩＤＤＬＥ）を確保できる通信エリア（すなわち、ＨＩＧＨレベル通信エリア、又は、ＭＩＤＤＬＥレベル通信エリア）内に存在するまで、記録装置２に無線通信装置１を近づけたうえで、無線通信装置１を静止させるという簡単な操作で、メモリ部１３に記録されるコンテンツデータのリストが表示装置３に表示される。ユーザは、このリストから表示装置３に表示させたいコンテンツデータを選択するという簡単な操作で、表示装置３に任意のコンテンツデータを表示できる。これにより、電気製品の扱いに不慣れなユーザでも、容易に無線通信装置１ｂに保存された電子データを表示装置３に転送表示できる。
【０１４５】
さらに、本発明の実施の形態３に係る無線通信装置１ｂは、コンテンツリストを表示装置３に表示した後、表示装置３に対するユーザの操作に基づき、無線データ転送を開始する。これにより、ユーザは、無線通信装置１ｂに対して、複雑な操作を行うことなく、無線データ転送を開始できる。具体的には、ユーザは、無線通信装置１ｂを、表示装置３に近づけたうえで、これからコンテンツを表示しようとしている表示装置３（例えば、テレビ）のリモコンを操作するという容易な操作で、転送表示を開始できる。また、コンテンツリストが、デジタルビデオカメラ等が備える小画面の表示部ではなく、テレビ等の大画面に表示されるので、ユーザのコンテンツ選択の操作が快適である。
【０１４６】
なお、無線通信装置１ｂは、上述した実施の形態２と同様に、開始スイッチ４１を備え、当該開始スイッチ４１に基づき、無線データ送信開始の制御を行ってもよい。
【０１４７】
また、本発明は、上記実施の形態１に係る無線通信装置１と、実施の形態２又は３に係る無線通信装置１ａ及び１ｂのうち一方との機能を有する無線通信装置として実現してもよい。
【０１４８】
また、上記実施の形態１〜３に係る、無線通信装置１、１ａ、１ｂ及びその変形例の機能のうち少なくとも一部を組み合わせてもよい。
【産業上の利用可能性】
【０１４９】
本発明は、無線通信装置に適用でき、特に、デジタルスチルカメラ及びデジタルビデオカメラ等のモバイルＡＶ機器に適用できる。
【符号の説明】
【０１５０】
１、１ａ、１ｂ  無線通信装置
２  記録装置
３  表示装置
１１  入力部
１２  出力部
１３  メモリ部
１４  制御部
１５  静止検出部
１６  通信エリア検出部
１７  無線通信部
１８  機器判定部
１９  通信エリア判定部
２０、２０ａ、２０ｂ  通信開始制御部
２１  通信中断制御部
４１  開始スイッチ
４２  リスト生成部
４３  警告部
【手続補正２】
【補正対象書類名】特許請求の範囲
【補正対象項目名】全文
【補正方法】変更
【補正の内容】
【特許請求の範囲】
【請求項１】
無線通信を用いて、記録媒体に記録されたデータを他の機器に送信する無線通信装置であって、
前記無線通信装置が所定の通信エリア内に存在するか否かを判定する通信エリア判定部と、
前記無線通信装置が静止しているか否かを検出する静止検出部と、
前記通信エリア判定部で前記無線通信装置が所定のエリア内に存在すると判定され、且つ、前記静止検出部で前記無線通信装置が静止していることが検出された場合に、前記無線通信を用いた、前記記録媒体に記録されたデータの前記他の機器への送信を開始する無線通信部とを備える
無線通信装置。
【請求項２】
前記無線通信装置は、さらに、
前記他の機器が、予め指定された指定機器であるか否かを判定する機器判定部を備え、
前記無線通信部は、前記通信エリア判定部で前記無線通信装置が所定のエリア内に存在すると判定され、且つ、前記静止検出部で前記無線通信装置が静止していることが検出され、且つ、前記機器判定部で前記他の機器が前記指定機器であると判定された場合に、前記無線通信を用いた、前記記録媒体に記録されたデータの前記他の機器への送信を開始する
請求項１記載の無線通信装置。
【請求項３】
前記通信エリア判定部は、前記無線通信装置と無線通信可能な他の機器が複数存在する場合、当該複数の他の機器ごとに、所定の通信エリア内に存在するか否かを判定し、
前記機器判定部は、前記複数の他の機器ごとに、当該他の機器が前記指定機器であるか否かを判定し、さらに、複数の前記他の機器が前記指定機器である場合、当該指定機器である複数の他の機器のうち、前記通信エリア判定部で所定エリア内に存在すると判定された他の機器の中で、最も近接した配置であると判定された機器をデータ送信先の他の機器に決定し、
前記無線通信部は、前記機器判定部で決定された他の機器に、前記記録媒体に記録されたデータを送信する
請求項２記載の無線通信装置。
【請求項４】
前記無線通信装置は、さらに、
ユーザにより操作される開始スイッチを備え、
前記無線通信部は、前記通信エリア判定部で前記無線通信装置が所定のエリア内に存在すると判定され、且つ、前記静止検出部で前記無線通信装置が静止していることが検出され、且つ、前記開始スイッチがオンされている場合に、前記無線通信を用いた、前記記録媒体に記録されたデータの前記他の機器への送信を開始する
請求項１〜３のいずれか１項に記載の無線通信装置。
【請求項５】
前記他の機器は、前記無線通信装置により送信された前記データを表示する表示装置であり、
前記無線通信装置は、さらに、
前記記録媒体に記録されたデータのリストを生成するリスト生成部を備え、
前記無線通信部は、前記通信エリア判定部で前記無線通信装置が所定のエリア内に存在すると判定され、且つ、前記静止検出部で前記無線通信装置が静止していることが検出された場合に、前記リストを前記表示装置に前記無線通信を用いて送信し、前記リストに含まれるデータのうち、ユーザにより指定されたデータを前記表示装置へ送信する
請求項１〜４のいずれか１項に記載の無線通信装置。
【請求項６】
前記無線通信部は、前記表示装置により送信される、前記リストに含まれるデータのうちユーザにより指定されたデータを示す情報を受信し、受信した情報に示されるデータを前記表示装置へ送信する
請求項５記載の無線通信装置。
【請求項７】
前記無線通信装置は、さらに、
前記記録媒体に記録されたデータのリストを生成するリスト生成部と、
前記通信エリア判定部で前記無線通信装置が所定のエリア内に存在すると判定され、且つ、前記静止検出部で前記無線通信装置が静止していることが検出された場合に、前記リストを表示する表示部と、
ユーザの操作を受け付ける入力部とを備え、
前記無線通信部は、前記リストに含まれるデータのうち、前記入力部を介して、前記ユーザにより指定されたデータを前記他の機器へ送信する
請求項１〜４のいずれか１項に記載の無線通信装置。
【請求項８】
前記無線通信装置は、さらに、
前記無線通信部による前記データの前記送信中に、前記静止検出部で前記無線通信装置が移動していることが検出され、且つ、前記通信エリア判定部で、前記無線通信が所定の通信エリア内に存在するか否かを判定するための基準である第１閾値よりも広い所定の通信エリア内に存在するか否かを判定するための基準である第２閾値より外側であることが検出された場合、当該送信を中断する処理、及び、ユーザに警告を通知する処理のうち少なくとも一方の処理を行い、前記無線通信部による前記データの前記送信中に、前記静止検出部で当該無線通信装置が移動していることが検出され、且つ、前記通信エリア判定部で前記第１閾値の通信エリア外で、前記第２閾値の通信エリア内であることが検出された場合、前記少なくとも一方の処理を行う制御部を備える
請求項１〜７のいずれか１項に記載の無線通信装置。
【請求項９】
前記通信エリア判定部は、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いて通信エリアを判定する
請求項１〜８のいずれか１項に記載の無線通信装置。
【請求項１０】
前記通信エリア判定部は、ＰＨＹ（Ｐｈｙｓｉｃａｌ  Ｌａｙｅｒ）レートを用いて通信エリアを判定する
請求項１〜８のいずれか１項に記載の無線通信装置。
【請求項１１】
前記通信エリア判定部は、ＰＥＲ（Ｐａｃｋｅｔ  Ｅｒｒｏｒ  Ｒａｔｅ）を用いて通信エリアを判定する
請求項１〜８のいずれか１項に記載の無線通信装置。
【請求項１２】
前記静止検出部は、加速度センサを用いて静止を判定する
請求項１〜８のいずれか１項に記載の無線通信装置。
【請求項１３】
前記静止検出部は、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いて、所定の時間間隔でＲＳＳＩを取得するためのタイマー部と、所定の回数ＲＳＳＩを取得するためのカウンタ部とを備え、所定期間におけるＲＳＳＩ値の変動が所定範囲内であるか否かにより静止を判定する
請求項１〜８のいずれか１項に記載の無線通信装置。
【請求項１４】
前記静止検出部は、タッチセンサを用いて、ユーザが前記無線通信装置に触れているか否かにより静止を判定する
請求項１〜８のいずれか１項に記載の無線通信装置。
【請求項１５】
前記静止検出部は、突起スイッチ部を用いて、前記突起スイッチ部が押されているか否かにより静止を判定する
請求項１〜８のいずれか１項に記載の無線通信装置。
【請求項１６】
無線通信装置が、無線通信を用いて、記録媒体に記録されたデータを他の機器に送信する無線通信方法であって、
前記無線通信装置が所定の通信エリア内に存在するか否かを判定する通信エリア判定ステップと、
前記無線通信装置が静止しているか否かを検出する静止検出ステップと、
前記通信エリア判定ステップで前記無線通信装置が所定のエリア内に存在すると判定され、且つ、前記静止検出ステップで前記無線通信装置が静止していることが検出された場合に、前記無線通信を用いた、前記記録媒体に記録されたデータの前記他の機器への送信を開始する無線通信ステップとを含む
無線通信方法。
【請求項１７】
無線通信装置が、無線通信を用いて、記録媒体に記録されたデータを他の機器に送信するためのプログラムであって、
前記無線通信装置が所定の通信エリア内に存在するか否かを判定する通信エリア判定ステップと、
前記無線通信装置が静止しているか否かを検出する静止検出ステップと、
前記通信エリア判定ステップで前記無線通信装置が所定のエリア内に存在すると判定され、且つ、前記静止検出ステップで前記無線通信装置が静止していることが検出された場合に、前記無線通信を用いた、前記記録媒体に記録されたデータの前記他の機器への送信を開始する無線通信ステップとをコンピュータに実行させる
プログラム。
【手続補正３】
【補正対象書類名】図面
【補正対象項目名】全図
【補正方法】変更
【補正の内容】
【図１】
2010055697.tif 000012
【図２】
2010055697.tif 000013
【図３】
2010055697.tif 000014
【図４】
2010055697.tif 000015
【図５】
2010055697.tif 000016
【図６】
2010055697.tif 000017
【図７】
2010055697.tif 000018
【図８】
2010055697.tif 000019
【図９】
2010055697.tif 000020
【国際調査報告】
2010055697.tif 000021
2010055697.tif 000022